(57)【特許請求の範囲】
【請求項１】
無線通信システムにおいて端末（ＵＥ）情報を送信する方法であって、前記方法は、ＵＥにより実行され、前記方法は、
ＲＳＲＱ（Ｒｅｆｅｒｅｎｃｅ  Ｓｉｇｎａｌ  Ｒｅｃｅｉｖｅｄ  Ｑｕａｌｉｔｙ）を取得することと、
前記ＲＳＲＱに対する広帯域指示子を生成することと、
前記広帯域指示子および前記ＲＳＲＱを含む前記ＵＥ情報を基地局（ＢＳ）に送信することと
を含み、
前記ＲＳＲＱは、セルに対する測定を実行することに基づいて取得され、前記広帯域指示子は、前記測定を実行するときに広帯域幅が用いられるかを指示する、方法。
【請求項２】
前記ＵＥ情報は、ＲＬＦ（ｒａｄｉｏ  ｌｉｎｋ  ｆａｉｌｕｒｅ）報告である、請求項１に記載の方法。
【請求項３】
前記ＲＬＦ報告は、ＲＬＦが検知された後に送信される、請求項２に記載の方法。
【請求項４】
前記ＵＥ情報は、ログされた測定情報である、請求項１に記載の方法。
【請求項５】
前記ＵＥ情報は、接続確立失敗報告である、請求項１に記載の方法。
【請求項６】
前記接続確立失敗報告は、接続確立失敗が検知された後に送信される、請求項５に記載の方法。
【請求項７】
前記ＵＥ情報は、即時ＭＤＴ（ｍｉｎｉｍｉｚａｔｉｏｎ  ｏｆ  ｄｒｉｖｅ−ｔｅｓｔｓ）情報またはｉｎ−ｄｅｖｉｃｅ  ｃｏｅｘｉｓｔｅｎｃｅ指示のうちの少なくとも１つである、請求項１に記載の方法。
【請求項８】
端末（ＵＥ）であって、前記ＵＥは、
無線信号を送信および受信するＲＦ（ｒａｄｉｏ  ｆｒｅｑｕｅｎｃｙ）部と、
前記ＲＦ部と機能的に結合して動作するプロセッサと
を含み、
前記プロセッサは、
ＲＳＲＱ（Ｒｅｆｅｒｅｎｃｅ  Ｓｉｇｎａｌ  Ｒｅｃｅｉｖｅｄ  Ｑｕａｌｉｔｙ）を取得することと、
前記ＲＳＲＱに対する広帯域指示子を生成することと、
前記広帯域指示子および前記ＲＳＲＱを含むＵＥ情報を基地局（ＢＳ）に送信することと
を実行し、
前記ＲＳＲＱは、セルに対する測定を実行することに基づいて取得され、前記広帯域指示子は、前記測定を実行するときに広帯域幅が用いられるかを指示する、ＵＥ。
【請求項９】
前記ＵＥ情報は、ＲＬＦ（ｒａｄｉｏ  ｌｉｎｋ  ｆａｉｌｕｒｅ）報告である、請求項８に記載のＵＥ。
【請求項１０】
前記ＲＬＦ報告は、ＲＬＦが検知された後に送信される、請求項９に記載のＵＥ。
【請求項１１】
前記ＵＥ情報は、ログされた測定情報である、請求項８に記載のＵＥ。
【請求項１２】
前記ＵＥ情報は、接続確立失敗報告である、請求項８に記載のＵＥ。
【請求項１３】
前記接続確立失敗報告は、接続確立失敗が検知された後に送信される、請求項１２に記載のＵＥ。
【請求項１４】
前記ＵＥ情報は、即時ＭＤＴ（ｍｉｎｉｍｉｚａｔｉｏｎ  ｏｆ  ｄｒｉｖｅ−ｔｅｓｔｓ）情報またはｉｎ−ｄｅｖｉｃｅ  ｃｏｅｘｉｓｔｅｎｃｅ指示のうちの少なくとも１つである、請求項８に記載のＵＥ。
【発明の詳細な説明】
【技術分野】
【０００１】
本発明は、無線通信に関し、より詳しくは、無線通信システムにおける測定報告方法及びそれをサポートする装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
端末は、ネットワークから提供された測定のための情報に基づいて測定及び報告を実行することができる。端末により実行される測定及び測定報告は、セル再選択／ハンドオーバのような端末の移動実行に直接的な影響を及ぼすことができる。また、ネットワークは、端末によりネットワークに報告された測定結果を使用することで、端末に適応的にサービスを提供することができる。
【０００４】
ネットワークは、広帯域（ｗｉｄｅｂａｎｄ）測定のためのパラメータを端末に提供することができ、端末は、広帯域測定パラメータを使用して広帯域測定を実行し、測定結果をネットワークに報告することができる。端末が測定結果を報告するにあたって、測定結果が広帯域測定結果か、または狭帯域（ｎａｒｒｏｗｂａｎｄ）測定結果かをネットワークが知ることができない場合が発生できる。端末は、報告される測定結果がどのような測定を介して得られたかに対するシグナリングを提供しないため、ネットワークは、測定結果がどのような測定によるものかを知ることができない場合がある。このような現象は、ネットワーク最適運営のために実行される測定及び報告の本来の目的に合致しない結果をもたらすことができる。
【発明の概要】
【発明が解決しようとする課題】
【０００５】
本発明が解決しようとする技術的課題は、無線通信システムにおける測定報告方法及びそれをサポートする装置を提供することである。
【課題を解決するための手段】
【０００６】
一態様において、無線通信システムにおける端末により実行される測定報告方法が提供される。前記方法は、測定を実行して第１の測定結果を取得し、前記第１の測定結果と関連した第１の測定帯域幅情報を生成し、及び測定報告メッセージをネットワークに送信することを含む。前記測定報告メッセージは、前記第１の測定結果及び前記第１の測定帯域幅情報を含む。前記第１の測定帯域幅情報は、前記第１の測定結果に対する測定帯域幅と関連した情報である。
【０００７】
前記第１の測定帯域幅情報は、前記第１の測定結果の取得のために実行された前記測定が広帯域測定（ｗｉｄｅｂａｎｄ  ｍｅａｓｕｒｅｍｅｎｔ）か、または狭帯域測定（ｎａｒｒｏｗｂａｎｄ  ｍｅａｓｕｒｅｍｅｎｔ）かを指示する。
【０００８】
前記第１の測定結果に対する測定帯域幅が特定臨界帯域幅より大きい場合、前記第１の測定帯域幅情報は、前記広帯域測定を指示する。前記第１の測定結果に対する測定帯域幅が前記特定臨界帯域幅より小さい場合、前記第１の測定帯域幅情報は、前記狭帯域測定を指示する。
【０００９】
前記特定臨界帯域幅は、リソースブロック（ｒｅｓｏｕｒｃｅ  ｂｌｏｃｋ）６個に該当する帯域幅である。
【００１０】
前記方法は、測定を実行して第２の測定結果を取得することをさらに含む。前記測定報告メッセージは、前記第２の測定結果をさらに含む。
【００１１】
前記方法は、前記第２の測定結果と関連した第２の測定帯域幅情報を生成することをさらに含む。前記測定報告メッセージは、前記第２の測定帯域幅情報をさらに含む。
【００１２】
前記方法は、前記第２の測定結果取得時の前記端末のサービングセルと前記第１の測定結果取得時の前記端末のサービングセルが異なる場合、前記第２の測定結果と関連した第２の測定帯域幅情報を生成することをさらに含む。前記測定報告メッセージは、前記第２の測定帯域幅情報をさらに含む。
【００１３】
前記方法は、前記第２の測定結果に対する測定帯域幅と前記第１の測定結果に対する測定帯域幅が異なる場合、前記第２の測定結果と関連した第２の測定帯域幅情報を生成することをさらに含む。前記測定報告メッセージは、前記第２の測定帯域幅情報をさらに含む。
【００１４】
他の態様において、無線通信システムで運営する無線装置が提供される。前記無線装置は、無線信号を送信及び受信するＲＦ（Ｒａｄｉｏ  Ｆｒｅｑｕｅｎｃｙ）部及び前記ＲＦ部と機能的に結合して動作するプロセッサを含む。前記プロセッサは、測定を実行して第１の測定結果を取得し、前記第１の測定結果と関連した第１の測定帯域幅情報を生成し、及び測定報告メッセージをネットワークに送信するように設定される。前記測定報告メッセージは、前記第１の測定結果及び前記第１の測定帯域幅情報を含む。前記第１の測定帯域幅情報は、前記第１の測定結果に対する測定帯域幅と関連した情報である。
本明細書は、例えば、以下の項目も提供する。
（項目１）
無線通信システムにおける端末により実行される測定報告方法において、
測定を実行して第１の測定結果を取得し；
前記第１の測定結果と関連した第１の測定帯域幅情報を生成し；及び、
測定報告メッセージをネットワークに送信すること；を含み、
前記測定報告メッセージは、前記第１の測定結果及び前記第１の測定帯域幅情報を含み、
前記第１の測定帯域幅情報は、前記第１の測定結果に対する測定帯域幅と関連した情報であることを特徴とする測定報告方法。
（項目２）
前記第１の測定帯域幅情報は、前記第１の測定結果の取得のために実行された前記測定が広帯域測定（ｗｉｄｅｂａｎｄ  ｍｅａｓｕｒｅｍｅｎｔ）か、または狭帯域測定（ｎａｒｒｏｗｂａｎｄ  ｍｅａｓｕｒｅｍｅｎｔ）かを指示することを特徴とする項目１に記載の測定報告方法。
（項目３）
前記第１の測定結果に対する測定帯域幅が特定臨界帯域幅より大きい場合、前記第１の測定帯域幅情報は、前記広帯域測定を指示し、前記第１の測定結果に対する測定帯域幅が前記特定臨界帯域幅より小さい場合、前記第１の測定帯域幅情報は、前記狭帯域測定を指示することを特徴とする項目２に記載の測定報告方法。
（項目４）
前記特定臨界帯域幅は、リソースブロック（ｒｅｓｏｕｒｃｅ  ｂｌｏｃｋ）６個に該当する帯域幅であることを特徴とする項目３に記載の測定報告方法。
（項目５）
前記方法は、測定を実行して第２の測定結果を取得することをさらに含み、前記測定報告メッセージは、前記第２の測定結果をさらに含むことを特徴とする項目１に記載の測定報告方法。
（項目６）
前記方法は、前記第２の測定結果と関連した第２の測定帯域幅情報を生成することをさらに含み、前記測定報告メッセージは、前記第２の測定帯域幅情報をさらに含むことを特徴とする項目５に記載の測定報告方法。
（項目７）
前記方法は、前記第２の測定結果取得時の前記端末のサービングセルと前記第１の測定結果取得時の前記端末のサービングセルが異なる場合、前記第２の測定結果と関連した第２の測定帯域幅情報を生成することをさらに含み、前記測定報告メッセージは、前記第２の測定帯域幅情報をさらに含むことを特徴とする項目６に記載の測定報告方法。
（項目８）
前記方法は、前記第２の測定結果に対する測定帯域幅と前記第１の測定結果に対する測定帯域幅が異なる場合、前記第２の測定結果と関連した第２の測定帯域幅情報を生成することをさらに含み、前記測定報告メッセージは、前記第２の測定帯域幅情報をさらに含むことを特徴とする項目５に記載の測定報告方法。
（項目９）
無線通信システムで運営する無線装置において、前記無線装置は、
無線信号を送信及び受信するＲＦ（Ｒａｄｉｏ  Ｆｒｅｑｕｅｎｃｙ）部；及び、
前記ＲＦ部と機能的に結合して動作するプロセッサ；を含み、前記プロセッサは、
測定を実行して第１の測定結果を取得し、
前記第１の測定結果と関連した第１の測定帯域幅情報を生成し、及び
測定報告メッセージをネットワークに送信するように設定され、
前記測定報告メッセージは、前記第１の測定結果及び前記第１の測定帯域幅情報を含み、
前記第１の測定帯域幅情報は、前記第１の測定結果に対する測定帯域幅と関連した情報であることを特徴とする無線装置。
【発明の効果】
【００１５】
本発明の実施例に係る測定報告方法によると、ネットワークは、端末から報告された測定結果が広帯域測定に基づいて取得されたか、または狭帯域測定に基づいて取得されたかを把握することができる。または、ネットワークは、報告を受けた測定結果と関連した測定帯域幅を把握することができる。それによって、ネットワークは、取得した測定結果の用途によって、より効果的にネットワーク最適化を実行し、またはより効率的なサービスを提供及び端末の効率的動作のための設定を端末に提供することができる。
【図面の簡単な説明】
【００１６】
【図１】本発明が適用される無線通信システムを示す。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＲＲＣアイドル状態の端末の動作を示す流れ図である。
【図５】ＲＲＣ接続を確立する過程を示す流れ図である。
【図６】ＲＲＣ接続再設定過程を示す流れ図である。
【図７】ＲＲＣ接続再確立手順を示す。
【図８】既存の測定実行方法を示す流れ図である。
【図９】端末に設定された測定設定の一例を示す。
【図１０】測定識別子を削除する例を示す。
【図１１】測定対象を削除する例を示す。
【図１２】ログされたＭＤＴを実行する方法を示す流れ図である。
【図１３】ロギング地域によるログされたＭＤＴの例示を示す。
【図１４】ＲＡＴ変更によるログされたＭＤＴの例示を示す。
【図１５】ログされた測定の一例を示す。
【図１６】即時ＭＤＴの例示を示す。
【図１７】ＬＴＥ、ＧＰＳ、ＢＴ／ＷｉＦｉが一つの端末内で共存するＩＤＣ環境で相互間に干渉が発生できる状況を示す。
【図１８】本発明の実施例に係る測定報告方法を示す。
【図１９】本発明の実施例がログされたＭＤＴに適用された第１の例示を示す。
【図２０】本発明の実施例がログされたＭＤＴに適用された第２の例示を示す。
【図２１】本発明の実施例かログされたＭＤＴに適用された第３の例示を示す。
【図２２】本発明の実施例が具現される無線装置を示すブロック図である。
【発明を実施するための形態】
【００１７】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００１８】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１９】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２０】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２１】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２２】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルステック（ｐｒｏｔｏｃｏｌ  ｓｔａｃｋ）であり、制御平面は、制御信号送信のためのプロトコルスタックである。
【００２３】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴に送信されるかによって分類される。
【００２４】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２５】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルに提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２６】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００２７】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００２８】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００２９】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００３０】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、確立されない場合、ＲＲＣアイドル（ＲＲＣ  ｉｄｌｅ）状態になる。
【００３１】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）とがある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルには、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）とがある。
【００３２】
トランスポートチャネルの上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３３】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３４】
以下、端末のＲＲＣ状態（ＲＲＣ  ｓｔａｔｅ）とＲＲＣ接続方法に対して詳述する。
【００３５】
ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続されている場合はＲＲＣ接続状態といい、接続されていない場合はＲＲＣアイドル状態という。ＲＲＣ接続状態の端末はＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することができず、セルより大きい地域単位であるトラッキング区域（Ｔｒａｃｋｉｎｇ  Ａｒｅａ）単位にＣＮ（ｃｏｒｅ  ｎｅｔｗｏｒｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００３６】
ユーザが端末の電源を最初にオンした時、端末は、まず、適切なセルを探索した後、該当セルでＲＲＣアイドル状態にキャンプオンする。ＲＲＣアイドル状態の端末は、ＲＲＣ接続を確率する必要がある時になって初めてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態にあった端末がＲＲＣ接続を確立する必要がある場合は多様であり、例えば、ユーザの通話試みなどの理由でアップリンクデータ送信が必要な場合、またはＥ−ＵＴＲＡＮからページング（ｐａｇｉｎｇ）メッセージを受信した場合、これに対する応答メッセージ送信などを挙げることができる。
【００３７】
ＲＲＣ階層の上位に位置するＮＡＳ（Ｎｏｎ−Ａｃｃｅｓｓ  Ｓｔｒａｔｕｍ）階層は、セション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００３８】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態になる。
【００３９】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なくセル選択（ｃｅｌｌ  ｓｅｌｅｃｔｉｏｎ）またはセル再選択（ｒｅｓｅｌｅｃｔｉｏｎ）のような端末基盤の移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態における端末の位置が、ネットワークが知っている位置と異なる場合、端末は、トラッキング区域更新（Ｔｒａｃｋｉｎｇ  Ａｒｅａ  Ｕｐｄａｔｅ）手順を介してネットワークに端末の該当位置を知らせる。
【００４０】
以下、システム情報（Ｓｙｓｔｅｍ  Ｉｎｆｏｒｍａｔｉｏｎ）に対する説明である。
【００４１】
システム情報は、端末が基地局に接続するために知らなければならない必須情報を含む。したがって、端末は、基地局に接続する前にシステム情報を全部受信しなければならず、また、常に最新システム情報を有しなければならない。また、前記システム情報は、一セル内の全ての端末が知らなければならない情報であるため、基地局は、周期的に前記システム情報を送信する。
【００４２】
３ＧＰＰ  ＴＳ  ３６．３３１  Ｖ８．７．０（２００９−０９）“Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  ８）“の５．２．２節によると、前記システム情報は、ＭＩＢ（Ｍａｓｔｅｒ  Ｉｎｆｏｒｍａｔｉｏｎ  Ｂｌｏｃｋ）、ＳＢ（Ｓｃｈｅｄｕｌｉｎｇ  Ｂｌｏｃｋ）、ＳＩＢ（Ｓｙｓｔｅｍ  Ｉｎｆｏｒｍａｔｉｏｎ  Ｂｌｏｃｋ）に分けられる。ＭＩＢは、端末が該当セルの物理的構成、例えば、帯域幅（Ｂａｎｄｗｉｄｔｈ）などを知ることができるようにする。ＳＢは、ＳＩＢの送信情報、例えば、送信周期などを知らせる。ＳＩＢは、互いに関連のあるシステム情報の集合体である。例えば、あるＳＩＢは、隣接セルの情報のみを含み、あるＳＩＢは、端末が使用するアップリンク無線チャネルの情報のみを含む。
【００４３】
一般的に、ネットワークが端末に提供するサービスは、下記のように三つのタイプに区分することができる。また、どのようなサービスの提供を受けることができるかによって、端末は、セルのタイプも異なるように認識する。以下、サービスタイプを叙述した後、セルのタイプを叙述する。
【００４４】
１）制限的サービス（Ｌｉｍｉｔｅｄ  ｓｅｒｖｉｃｅ）：このサービスは、応急呼び出し（Ｅｍｅｒｇｅｎｃｙ  ｃａｌｌ）及び災害警報システム（Ｅａｒｔｈｑｕａｋｅ  ａｎｄ  Ｔｓｕｎａｍｉ  Ｗａｒｎｉｎｇ  Ｓｙｓｔｅｍ；ＥＴＷＳ）を提供し、受容可能セル（ａｃｃｅｐｔａｂｌｅ  ｃｅｌｌ）で提供することができる。
【００４５】
２）正規サービス（Ｎｏｒｍａｌ  ｓｅｒｖｉｃｅ）：このサービスは、一般的用途の汎用サービス（ｐｕｂｌｉｃ  ｕｓｅ）を意味し、正規セル（ｓｕｉｔａｂｌｅ  ｏｒ  ｎｏｒｍａｌ  ｃｅｌｌ）で提供することができる。
【００４６】
３）事業者サービス（Ｏｐｅｒａｔｏｒ  ｓｅｒｖｉｃｅ）：このサービスは、通信ネットワーク事業者のためのサービスを意味し、このセルは、通信ネットワーク事業者のみが使用することができ、一般ユーザは使用することができない。
【００４７】
セルが提供するサービスタイプと関連し、セルのタイプは、下記のように区分されることができる。
【００４８】
１）受容可能セル（Ａｃｃｅｐｔａｂｌｅ  ｃｅｌｌ）：端末が制限された（Ｌｉｍｉｔｅｄ）サービスの提供を受けることができるセル。このセルは、該当端末立場で、禁止（ｂａｒｒｅｄ）されておらず、端末のセル選択基準を満たすセルである。
【００４９】
２）正規セル（Ｓｕｉｔａｂｌｅ  ｃｅｌｌ）：端末が正規サービスの提供を受けることができるセル。このセルは、受容可能セルの条件を満たし、同時に追加条件を満たす。追加的な条件として、このセルは、該当端末が接続できるＰＬＭＮ（Ｐｕｂｌｉｃ  Ｌａｎｄ  Ｍｏｂｉｌｅ  Ｎｅｔｗｏｒｋ）所属でなければならず、端末のトラッキング区域（Ｔｒａｃｋｉｎｇ  Ａｒｅａ）更新手順の実行が禁止されないセルでなければならない。該当セルがＣＳＧセルの場合、端末がこのセルにＣＳＧメンバとして接続可能なセルでなければならない。
【００５０】
３）禁止されたセル（Ｂａｒｒｅｄ  ｃｅｌｌ）：セルがシステム情報を介して禁止されたセルであるという情報をブロードキャストするセルである。
【００５１】
４）予約されたセル（Ｒｅｓｅｒｖｅｄ  ｃｅｌｌ）：セルがシステム情報を介して予約されたセルであるという情報をブロードキャストするセルである。
【００５２】
図４は、ＲＲＣアイドル状態の端末の動作を示す流れ図である。図４は、初期電源がオンされた端末がセル選択過程を経てネットワークに登録し、その後、必要な場合、セル再選択する手順を示す。
【００５３】
図４を参照すると、端末は、自分がサービスを受けることを希望するネットワークであるＰＬＭＮ（ｐｕｂｌｉｃ  ｌａｎｄ  ｍｏｂｉｌｅ  ｎｅｔｗｏｒｋ）と通信するためのラジオアクセス技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することもでき、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されているものを使用することもできる。
【００５４】
端末は、測定した基地局と信号強度や品質が特定値より大きいセルのうち、最も大きい値を有するセルを選択する（Ｃｅｌｌ  Ｓｅｌｅｃｔｉｏｎ）（Ｓ４２０）。これは電源がオンされた端末がセル選択を実行することであって、初期セル選択（ｉｎｉｔｉａｌ  ｃｅｌｌ  ｓｅｌｅｃｔｉｏｎ）という。セル選択手順に対して以後に詳述する。セル選択以後の端末は、基地局が周期的に送るシステム情報を受信する。前記特定値は、データ送／受信での物理的信号に対する品質の保障を受けるためにシステムで定義された値を意味する。したがって、適用されるＲＡＴによって、その値は異なる。
【００５５】
端末は、ネットワーク登録が必要な場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびにアクセスするネットワークに登録するものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録する。
【００５６】
端末は、セルで提供されるサービス環境または端末の環境などに基づいてセル再選択を実行する（Ｓ４４０）。端末は、サービスを受けている基地局から測定した信号の強度や品質の値が、隣接したセルの基地局から測定した値より低い場合、端末が接続した基地局のセルより良い信号特性を提供する他のセルの中から一つを選択する。この過程を２番目の過程である初期セル選択（Ｉｎｉｔｉａｌ  Ｃｅｌｌ  Ｓｅｌｅｃｔｉｏｎ）と区分してセル再選択（Ｃｅｌｌ  Ｒｅ−Ｓｅｌｅｃｔｉｏｎ）という。このとき、信号特性の変化によって頻繁にセルが再選択されることを防止するために時間的な制約条件をおく。セル再選択手順に対して以後に詳述する。
【００５７】
図５は、ＲＲＣ接続を確立する過程を示す流れ図である。
【００５８】
端末は、ＲＲＣ接続を要求するＲＲＣ接続要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ接続要求に対する応答としてＲＲＣ接続設定（ＲＲＣ  Ｃｏｎｎｅｃｔｉｏｎ  Ｓｅｔｕｐ）メッセージを送る（Ｓ５２０）。ＲＲＣ接続設定メッセージを受信した後、端末は、ＲＲＣ接続モードに進入する。
【００５９】
端末は、ＲＲＣ接続確立の成功的な完了を確認するために使われるＲＲＣ接続設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００６０】
図６は、ＲＲＣ接続再設定過程を示す流れ図である。ＲＲＣ接続再設定（ｒｅｃｏｎｆｉｇｕｒａｔｉｏｎ）は、ＲＲＣ接続の修正に使われる。これはＲＢ確立／修正（ｍｏｄｉｆｙ）／解除（ｒｅｌｅａｓｅ）、ハンドオーバ実行、測定セットアップ／修正／解除のために使われる。
【００６１】
ネットワークは、端末にＲＲＣ接続を修正するためのＲＲＣ接続再設定（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ接続再設定に対する応答として、ＲＲＣ接続再設定の成功的な完了を確認するために使われるＲＲＣ接続再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００６２】
以下、ＰＬＭＮ（ｐｕｂｌｉｃ  ｌａｎｄ  ｍｏｂｉｌｅ  ｎｅｔｗｏｒｋ）に対して説明する。
【００６３】
ＰＬＭＮは、モバイルネットワーク運営者により配置及び運用されるネットワークである。各モバイルネットワーク運営者は、一つまたはそれ以上のＰＬＭＮを運用する。各ＰＬＭＮは、ＭＣＣ（Ｍｏｂｉｌｅ  Ｃｏｕｎｔｒｙ  Ｃｏｄｅ）及びＭＮＣ（Ｍｏｂｉｌｅ  Ｎｅｔｗｏｒｋ  Ｃｏｄｅ）により識別されることができる。セルのＰＬＭＮ情報は、システム情報に含まれてブロードキャストされる。
【００６４】
ＰＬＭＮ選択、セル選択及びセル再選択において、多様なタイプのＰＬＭＮが端末により考慮されることができる。
【００６５】
ＨＰＬＭＮ（Ｈｏｍｅ  ＰＬＭＮ）：端末ＩＭＳＩのＭＣＣ及びＭＮＣとマッチングされるＭＣＣ及びＭＮＣを有するＰＬＭＮ
【００６６】
ＥＨＰＬＭＮ（Ｅｑｕｉｖａｌｅｎｔ  ＨＰＬＭＮ）：ＨＰＬＭＮと等価として取り扱われるＰＬＭＮ
【００６７】
ＲＰＬＭＮ（Ｒｅｇｉｓｔｅｒｅｄ  ＰＬＭＮ）：位置登録が成功的に終了されたＰＬＭＮ
【００６８】
ＥＰＬＭＮ（Ｅｑｕｉｖａｌｅｎｔ  ＰＬＭＮ）：ＲＰＬＭＮと等価として取り扱われるＰＬＭＮ
【００６９】
各モバイルサービス需要者は、ＨＰＬＭＮに加入する。ＨＰＬＭＮまたはＥＨＰＬＭＮにより端末に一般サービスが提供される時、端末は、ローミング状態（ｒｏａｍｉｎｇ  ｓｔａｔｅ）ではない。それに対し、ＨＰＬＭＮ／ＥＨＰＬＭＮ以外のＰＬＭＮにより端末にサービスが提供される時、端末は、ローミング状態であり、そのＰＬＭＮは、ＶＰＬＭＮ（Ｖｉｓｉｔｅｄ  ＰＬＭＮ）と呼ばれる。
【００７０】
端末は、初期に電源がオンされると、使用可能なＰＬＭＮ（ｐｕｂｌｉｃ  ｌａｎｄ  ｍｏｂｉｌｅ  ｎｅｔｗｏｒｋ）を検索し、サービスを受けることができる適切なＰＬＭＮを選択する。ＰＬＭＮは、モバイルネットワーク運営者（ｍｏｂｉｌｅ  ｎｅｔｗｏｒｋ  ｏｐｅｒａｔｏｒ）により配置され（ｄｅｐｌｏｙ）、または運営されるネットワークである。各モバイルネットワーク運営者は、一つまたはそれ以上のＰＬＭＮを運営する。それぞれのＰＬＭＮは、ＭＣＣ（ｍｏｂｉｌｅ  ｃｏｕｎｔｒｙ  ｃｏｄｅ）及びＭＮＣ（ｍｏｂｉｌｅ  ｎｅｔｗｏｒｋ  ｃｏｄｅ）により識別されることができる。セルのＰＬＭＮ情報は、システム情報に含まれてブロードキャストされる。端末は、選択したＰＬＭＮを登録するために試みる。登録が成功した場合、選択されたＰＬＭＮは、ＲＰＬＭＮ（ｒｅｇｉｓｔｅｒｅｄ  ＰＬＭＮ）になる。ネットワークは、端末にＰＬＭＮリストをシグナリングすることができ、これはＰＬＭＮリストに含まれているＰＬＭＮをＲＰＬＭＮと同じＰＬＭＮであると考慮することができる。ネットワークに登録された端末は、常時ネットワークにより接近可能（ｒｅａｃｈａｂｌｅ）でなければならない。もし、端末がＥＣＭ−ＣＯＮＮＥＣＴＥＤ状態（同じくは、ＲＲＣ接続状態）である場合、ネットワークは、端末がサービスを受けていることを認知する。しかし、端末がＥＣＭ−ＩＤＬＥ状態（同じくは、ＲＲＣアイドル状態）である場合、端末の状況がｅＮＢでは有効でないが、ＭＭＥには格納されている。この場合、ＥＣＭ−ＩＤＬＥ状態の端末の位置は、ＴＡ（ｔｒａｃｋｉｎｇ  Ａｒｅａ）のリストの粒度（ｇｒａｎｕｌａｒｉｔｙ）を介してＭＭＥにのみ知らされる。単一ＴＡは、ＴＡが所属されたＰＬＭＮ識別子で構成されたＴＡＩ（ｔｒａｃｋｉｎｇ  ａｒｅａ  ｉｄｅｎｔｉｔｙ）及びＰＬＭＮ内のＴＡを唯一に表現するＴＡＣ（ｔｒａｃｋｉｎｇ  ａｒｅａ  ｃｏｄｅ）により識別される。
【００７１】
その後、選択したＰＬＭＮが提供するセルの中から、前記端末が適切なサービスの提供を受けることができる信号品質と特性を有するセルを選択する。
【００７２】
以下、端末がセルを選択する手順に対して詳細に説明する。
【００７３】
電源がオンされ、またはセルにキャンプオンしている時、端末は、適切な品質のセルを選択／再選択することでサービスを受けるための手順を実行する。
【００７４】
ＲＲＣアイドル状態の端末は、常に適切な品質のセルを選択することで、このセルを介してサービスの提供を受けるための準備をしなければならない。例えば、電源がオンされた端末は、ネットワークに登録するために適切な品質のセルを選択しなければならない。ＲＲＣ接続状態にあった前記端末がＲＲＣアイドル状態に進入すると、前記端末は、ＲＲＣアイドル状態にキャンプオンするセルを選択しなければならない。このように、前記端末がＲＲＣアイドル状態のようなサービス待機状態にキャンプオンするために、一定条件を満たすセルを選択する過程をセル選択（Ｃｅｌｌ  Ｓｅｌｅｃｔｉｏｎ）という。重要な点は、前記セル選択が、前記端末が前記ＲＲＣアイドル状態にキャンプオンするセルを現在決定しない状態で実行するため、可能の限り速かにセルを選択することが重要である。したがって、一定基準以上の無線信号品質を提供するセルの場合、たとえ、このセルが端末に最も良い無線信号品質を提供するセルでないとしても、端末のセル選択過程で選択されることができる。
【００７５】
以下、３ＧＰＰ  ＴＳ  ３６．３０４  Ｖ８．５．０（２００９−０３）“Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ（Ｒｅｌｅａｓｅ  ８）”を参照し、３ＧＰＰ  ＬＴＥにおいて、端末がセルを選択する方法及び手順に対して詳述する。
【００７６】
セル選択過程は、大いに、二つに分けられる。
【００７７】
まず、初期セル選択過程では、前記端末が無線チャネルに対する事前情報がない。したがって、前記端末は、適切なセルを探すために全ての無線チャネルを検索する。各チャネルにおいて、前記端末は、最も強いセルを探す。以後、前記端末がセル選択基準を満たす適切な（ｓｕｉｔａｂｌｅ）セルを探すと、該当セルを選択する。
【００７８】
次に、端末は、格納された情報を活用し、またはセルで放送している情報を活用することで、セルを選択することができる。したがって、初期セル選択過程に比べてセル選択が迅速である。端末がセル選択基準を満たすセルを探すと、該当セルを選択する。もし、この過程を介してセル選択基準を満たす適切なセルを探すことができない場合、端末は、初期セル選択過程を実行する。
【００７９】
前記端末がセル選択過程を介してあるセルを選択した後、端末の移動性または無線環境の変化などにより端末と基地局との間の信号の強度や品質が変わることができる。したがって、もし、選択したセルの品質が低下される場合、端末は、より良い品質を提供する他のセルを選択することができる。このようにセルを再選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００８０】
無線信号の品質観点外に、ネットワークは、周波数別に優先順位を決定して端末に知らせることができる。このような優先順位を受信した端末は、セル再選択過程で、この優先順位を無線信号品質基準より優先的に考慮するようになる。
【００８１】
前記のように、無線環境の信号特性によってセルを選択または再選択する方法があり、セル再選択において、再選択のためのセルを選択するとき、セルのＲＡＴと周波数（ｆｒｅｑｕｅｎｃｙ）特性によって下記のようなセル再選択方法がある。
【００８２】
−イントラ周波数（Ｉｎｔｒａ−ｆｒｅｑｕｅｎｃｙ）セル再選択：端末がキャンプ（ｃａｍｐ）中であるセルと同じＲＡＴ及び同じ中心周波数（ｃｅｎｔｅｒ−ｆｒｅｑｕｅｎｃｙ）を有するセルを再選択
【００８３】
−インター周波数（Ｉｎｔｅｒ−ｆｒｅｑｕｅｎｃｙ）セル再選択：端末がキャンプ中であるセルと同じＲＡＴ及び異なる中心周波数を有するセルを再選択
【００８４】
−インターＲＡＴ（Ｉｎｔｅｒ−ＲＡＴ）セル再選択：端末がキャンプ中であるＲＡＴと異なるＲＡＴを使用するセルを再選択
【００８５】
セル再選択過程の原則は、下記の通りである。
【００８６】
第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００８７】
第二に、セル再選択は、セル再選択基準に基づいて実行される。セル再選択基準は、サービングセル及び隣接セルの測定に関連して下記のような特性を有している。
【００８８】
イントラ周波数セル再選択は、基本的にランキング（ｒａｎｋｉｎｇ）に基づいて行われる。ランキングとは、セル再選択評価のための指標値を定義し、この指標値を利用してセルを指標値の大きさ順に順序を定める作業である。最も良い指標を有するセルを一般的にべストランクセル（ｂｅｓｔ  ｒａｎｋｅｄ  ｃｅｌｌ）という。セル指標値は、端末が該当セルに対して測定した値を基本にし、必要によって、周波数オフセットまたはセルオフセットを適用した値である。
【００８９】
インター周波数セル再選択は、ネットワークにより提供された周波数優先順位に基づいて行われる。端末は、最も高い周波数優先順位を有する周波数にキャンプオンする（ｃａｍｐ  ｏｎ）ことができるように試みる。ネットワークは、ブロードキャストシグナリング（ｂｒｏａｄｃａｓｔ  ｓｉｇｎａｌｉｎｇ）を介してセル内の端末が共通的に適用する周波数優先順位を提供し、または端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）といい、端末別にネットワークが設定するセル再選択優先順位を専用優先順位（ｄｅｄｉｃａｔｅｄ  ｐｒｉｏｒｉｔｙ）という。端末は、専用優先順位を受信すると、専用優先順位と関連した有効時間（ｖａｌｉｄｉｔｙ  ｔｉｍｅ）を共に受信することができる。端末は、専用優先順位を受信すると、共に受信した有効時間に設定された有効性タイマ（ｖａｌｉｄｉｔｙ  ｔｉｍｅｒ）を開始する。端末は、有効性タイマが動作する中、ＲＲＣアイドルモードで専用優先順位を適用する。有効性タイマが満了されると、端末は、専用優先順位を廃棄し、再び共用優先順位を適用する。
【００９０】
インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００９１】
イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００９２】
イントラ周波数またはインター周波数セル再選択のために、ネットワークは、端末にセル再選択に使われるセル再選択禁止リスト（ｂｌａｃｋ  ｌｉｓｔ）を提供することができる。禁止リストに含まれているセルに対し、端末は、セル再選択を実行しない。
【００９３】
以下、セル再選択評価過程で実行するランキングに対して説明する。
【００９４】
セルの優先順位を定める時に使われるランキング指標（ｒａｎｋｉｎｇ  ｃｒｉｔｅｒｉｏｎ）は、数式１のように定義される。
【００９５】
【数１】
0006322302.tif 000002
【００９６】
ここで、Ｒｓはサービングセルのランキング指標であり、Ｒｎは隣接セルのランキング指標であり、Ｑｍｅａｓ，ｓは端末がサービングセルに対して測定した品質値であり、Ｑｍｅａｓ，ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【００９７】
イントラ周波数で、端末がサービングセルと隣接セルとの間のオフセット（Ｑｏｆｆｓｅｔｓ，ｎ）を受信した場合は、Ｑｏｆｆｓｅｔ＝Ｑｏｆｆｓｅｔｓ，ｎであり、端末がＱｏｆｆｓｅｔｓ，ｎを受信しない場合は、Ｑｏｆｆｓｅｔ＝０である。
【００９８】
インター周波数で、端末が該当セルに対するオフセット（Ｑｏｆｆｓｅｔｓ，ｎ）を受信した場合は、Ｑｏｆｆｓｅｔ＝Ｑｏｆｆｓｅｔｓ，ｎ＋Ｑｆｒｅｑｕｅｎｃｙであり、端末がＱｏｆｆｓｅｔｓ，ｎを受信しない場合は、Ｑｏｆｆｓｅｔ＝Ｑｆｒｅｑｕｅｎｃｙである。
【００９９】
サービングセルのランキング指標（Ｒｓ）と隣接セルのランキング指標（Ｒｎ）が互いに類似する状態で変動すると、変動結果、ランキング順位が頻繁に変わるため、端末が二つのセルを交互に再選択することができる。Ｑｈｙｓｔは、セル再選択でヒステリシスを与え、端末が二つのセルを交互に再選択することを防止するためのパラメータである。
【０１００】
端末は、前記数式によってサービングセルのＲｓ及び隣接セルのＲｎを測定し、ランキング指標値が最も大きい値を有するセルをベストランク（ｂｅｓｔ  ｒａｎｋｅｄ）セルと見なし、このセルを再選択する。
【０１０１】
前記基準によると、セル再選択において、セルの品質が最も主要な基準として作用することを確認することができる。もし、再選択したセルが正規セル（ｓｕｉｔａｂｌｅ  ｃｅｌｌ）でない場合、端末は、該当周波数または該当セルをセル再選択対象から除外する。
【０１０２】
以下、ＲＬＭ（Ｒａｄｉｏ  Ｌｉｎｋ  Ｍｏｎｉｔｏｒｉｎｇ）に対して説明する。
【０１０３】
端末は、ＰＣｅｌｌのダウンリンク無線リンク品質を検知するために、セル特定参照信号（ｃｅｌｌ−ｓｐｅｃｉｆｉｃ  ｒｅｆｅｒｅｎｃｅ  ｓｉｇｎａｌ）に基づいてダウンリンク品質をモニタリングする。端末は、ＰＣｅｌｌのダウンリンク無線リンク品質をモニタリングすることを目的として、ダウンリンク無線リンク品質を推定し、それを閾値Ｑｏｕｔ及びＱｉｎと比較する。閾値Ｑｏｕｔは、ダウンリンク無線リンクが安定的に受信されることができない水準に定義され、これはＰＤＦＩＣＨエラーを考慮して仮想のＰＤＣＣＨ送信（ｈｙｐｏｔｈｅｔｉｃａｌ  ＰＤＣＣＨ  ｔｒａｎｓｍｉｓｓｉｏｎ）の１０％ブロックエラー率に相応する。閾値Ｑｉｎは、Ｑｏｕｔのレベルより安定的に受信されることができるダウンリンク無線リンク品質レベルに定義され、これはＰＣＦＩＣＨエラーを考慮して仮想のＰＤＣＣＨ送信の２％ブロックエラー率に相応する。
【０１０４】
以下、無線リンク失敗（Ｒａｄｉｏ  Ｌｉｎｋ  Ｆａｉｌｕｒｅ；ＲＬＦ）に対して説明する。
【０１０５】
端末は、サービスを受信するサービングセルとの無線リンクの品質維持のために持続的に測定を実行する。端末は、サービングセルとの無線リンクの品質悪化（ｄｅｔｅｒｉｏｒａｔｉｏｎ）により現在状況で通信が不可能かどうかを決定する。もし、サービングセルの品質があまりにも低くて通信がほぼ不可能な場合、端末は、現在状況を無線連結失敗であると決定する。
【０１０６】
もし、無線リンク失敗が決定されると、端末は、現在のサービングセルとの通信維持をあきらめ、セル選択（または、セル再選択）手順を介して新しいセルを選択し、新しいセルへのＲＲＣ接続再確立（ＲＲＣ  ｃｏｎｎｅｃｔｉｏｎ  ｒｅ−ｅｓｔａｂｌｉｓｈｍｅｎｔ）を試みる。
【０１０７】
３ＧＰＰ  ＬＴＥのスペックでは、正常に通信することができない場合として下記のような例示を挙げている。
【０１０８】
−端末の物理階層の無線品質測定結果に基づき、端末がダウンリンク通信リンク品質に深刻な問題があると判断した場合（ＲＬＭ実行中、ＰＣｅｌｌの品質が低いと判断した場合）
【０１０９】
−ＭＡＣ副階層でランダムアクセス（ｒａｎｄｏｍ  ａｃｃｅｓｓ）手順が持続的に失敗してアップリンク送信に問題があると判断した場合
【０１１０】
−ＲＬＣ副階層でアップリンクデータ送信が持続的に失敗してアップリンク送信に問題があると判断した場合
【０１１１】
−ハンドオーバを失敗したと判断した場合
【０１１２】
−端末が受信したメッセージが完全性検査（ｉｎｔｅｇｒｉｔｙ  ｃｈｅｃｋ）を通過することができない場合
【０１１３】
以下、ＲＲＣ接続再確立（ＲＲＣ  ｃｏｎｎｅｃｔｉｏｎ  ｒｅ−ｅｓｔａｂｌｉｓｈｍｅｎｔ）手順に対し、より詳細に説明する。
【０１１４】
図７は、ＲＲＣ接続再確立手順を示す。
【０１１５】
図７を参照すると、端末は、ＳＲＢ０（Ｓｉｇｎａｌｉｎｇ  Ｒａｄｉｏ  Ｂｅａｒｅｒ  ＃０）を除外した設定されていた全ての無線ベアラ（ｒａｄｉｏ  ｂｅａｒｅｒ）使用を中断し、ＡＳ（Ａｃｃｅｓｓ  Ｓｔｒａｔｕｍ）の各副階層を初期化する（Ｓ７１０）。また、各副階層及び物理階層を基本構成（ｄｅｆａｕｌｔ  ｃｏｎｆｉｇｕｒａｔｉｏｎ）に設定する。この過程中、端末は、ＲＲＣ接続状態を維持する。
【０１１６】
端末は、ＲＲＣ接続再設定手順を実行するためのセル選択手順を実行する（Ｓ７２０）。ＲＲＣ接続再確立手順のうち、セル選択手順は、端末がＲＲＣ接続状態を維持しているにもかかわらず、端末がＲＲＣアイドル状態で実行するセル選択手順と同様に実行されることができる。
【０１１７】
端末は、セル選択手順を実行した後、該当セルのシステム情報を確認することで該当セルが適合したセルかどうかを判断する（Ｓ７３０）。もし、選択されたセルが適切なＥ−ＵＴＲＡＮセルであると判断された場合、端末は、該当セルにＲＲＣ接続再確立要求メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を送信する（Ｓ７４０）。
【０１１８】
一方、ＲＲＣ接続再確立手順を実行するためのセル選択手順を介して選択されたセルがＥ−ＵＴＲＡＮ以外の異なるＲＡＴを使用するセルであると判断された場合、ＲＲＣ接続再確立手順を中断し、端末は、ＲＲＣアイドル状態に進入する（Ｓ７５０）。
【０１１９】
端末は、セル選択手順及び選択したセルのシステム情報の受信を介して、制限された時間内にセルの適切性確認を終えるように具現されることができる。そのために、端末は、ＲＲＣ接続再確立手順の開始によってタイマを駆動させることができる。タイマは、端末が適合したセルを選択したと判断された場合、中断されることができる。タイマが満了された場合、端末は、ＲＲＣ接続再確立手順が失敗したと見なし、ＲＲＣアイドル状態に進入することができる。以下、このタイマを無線リンク失敗タイマという。ＬＴＥスペックＴＳ  ３６．３３１では、Ｔ３１１という名称のタイマが無線リンク失敗タイマとして活用されることができる。端末は、このタイマの設定値をサービングセルのシステム情報から取得することができる。
【０１２０】
端末からＲＲＣ接続再確立要求メッセージを受信し、要求を受諾した場合、セルは、端末にＲＲＣ接続再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を送信する。
【０１２１】
セルからＲＲＣ接続再確立メッセージを受信した端末は、ＳＲＢ１に対するＰＤＣＰ副階層とＲＬＣ副階層を再構成する。また、セキュリティ設定と関連した各種キー値を再計算し、セキュリティを担当するＰＤＣＰ副階層を新しく計算したセキュリティキー値で再構成する。それによって、端末とセルとの間のＳＲＢ１が開放され、ＲＲＣ制御メッセージをやりとりすることができるようになる。端末は、ＳＲＢ１の再開を完了し、セルにＲＲＣ接続再確立手順が完了したというＲＲＣ接続再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を送信する（Ｓ７６０）。
【０１２２】
それに対し、端末からＲＲＣ接続再確立要求メッセージを受信し、要求を受諾しない場合、セルは、端末にＲＲＣ接続再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を送信する。
【０１２３】
ＲＲＣ接続再確立手順が成功的に実行されると、セルと端末は、ＲＲＣ接続再設定手順を実行する。それによって、端末は、ＲＲＣ接続再確立手順を実行する前の状態を回復し、サービスの連続性を最大限保障する。
【０１２４】
以下、測定及び測定報告に対して説明する。
【０１２５】
移動通信システムにおいて、端末の移動性（ｍｏｂｉｌｉｔｙ）サポートは必須である。したがって、端末は、現在サービスを提供するサービングセル（ｓｅｒｖｉｎｇ  ｃｅｌｌ）に対する品質及び隣接セルに対する品質を持続的に測定する。端末は、測定結果を適切な時間にネットワークに報告し、ネットワークは、ハンドオーバなどを介して端末に最適の移動性を提供する。一般的に、このような目的の測定を無線リソース管理測定（ＲＲＭ（ｒａｄｉｏ  ｒｅｓｏｕｒｃｅ  ｍａｎａｇｅｍｅｎｔ）  ｍｅａｓｕｒｅｍｅｎｔ）という。
【０１２６】
端末は、移動性サポートの目的外、事業者がネットワークの運営のための情報を提供するために、ネットワークが設定する特定目的の測定を実行し、その測定結果をネットワークに報告することができる。例えば、端末は、ネットワークが定めた特定セルのブロードキャスト情報を受信する。端末は、前記特定セルのセル識別子（Ｃｅｌｌ  Ｉｄｅｎｔｉｔｙ）（これを広域（Ｇｌｏｂａｌ）セル識別子ともいう）、前記特定セルが属する位置識別情報（例えば、Ｔｒａｃｋｉｎｇ  Ａｒｅａ  Ｃｏｄｅ）及び／またはその他のセル情報（例えば、ＣＳＧ（Ｃｌｏｓｅｄ  Ｓｕｂｓｃｒｉｂｅｒ  Ｇｒｏｕｐ）セルのメンバ可否）をサービングセルに報告することができる。
【０１２７】
移動中の端末は、特定地域の品質が非常に悪いということを測定を介して確認した場合、品質が悪いセルに対する位置情報及び測定結果をネットワークに報告することができる。ネットワークは、ネックワークの運営のための端末の測定結果の報告に基づき、ネットワークの最適化を試みることができる。
【０１２８】
周波数再使用（Ｆｒｅｑｕｅｎｃｙ  ｒｅｕｓｅ  ｆａｃｔｏｒ）は、１人移動通信システムにおいて、移動性がほとんど同じ周波数バンドにある互いに異なるセル間に行われる。したがって、端末の移動性をよく保障するためには、端末は、サービングセルの中心周波数と同じ中心周波数を有する隣接セルの品質及びセル情報を正確に測定可能でなければならない。このようにサービングセルの中心周波数と同じ中心周波数を有するセルに対する測定をイントラ周波数測定（ｉｎｔｒａ−ｆｒｅｑｕｅｎｃｙ  ｍｅａｓｕｒｅｍｅｎｔ）という。端末は、イントラ周波数測定を実行し、測定結果をネットワークに適切な時間に報告することで、該当する測定結果の目的が達成されるようにする。
【０１２９】
移動通信事業者は、複数の周波数バンドを使用してネットワークを運用することもできる。複数の周波数バンドを介して通信システムのサービスが提供される場合、端末に最適の移動性を保障するためには、端末は、サービングセルの中心周波数と異なる中心周波数を有する隣接セルの品質及びセル情報を正確に測定可能でなければならない。このように、サービングセルの中心周波数と異なる中心周波数を有するセルに対する測定をインター周波数測定（ｉｎｔｅｒ−ｆｒｅｑｕｅｎｃｙ  ｍｅａｓｕｒｅｍｅｎｔ）という。端末は、インター周波数測定を実行し、測定結果をネットワークに適切な時間に報告可能でなければならない。
【０１３０】
端末が異なるＲＡＴに基づくネットワークに対する測定をサポートする場合、基地局設定により該当ネックワークのセルに対する測定をすることもできる。このような測定をインターラジオアクセス方式（ｉｎｔｅｒ−ＲＡＴ（Ｒａｄｉｏ  Ａｃｃｅｓｓ  Ｔｅｃｈｎｏｌｏｇｙ））測定という。例えば、ＲＡＴは、３ＧＰＰ標準規格に従うＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）及びＧＥＲＡＮ（ＧＳＭ（登録商標）  ＥＤＧＥ  Ｒａｄｉｏ  Ａｃｃｅｓｓ  Ｎｅｔｗｏｒｋ）を含むことができ、３ＧＰＰ２標準規格に従うＣＤＭＡ２０００システムも含むことができる。
【０１３１】
図８は、既存の測定実行方法を示す流れ図である。
【０１３２】
端末は、基地局から測定設定（ｍｅａｓｕｒｅｍｅｎｔ  ｃｏｎｆｉｇｕｒａｔｉｏｎ）情報を受信する（Ｓ８１０）。測定設定情報を含むメッセージを測定設定メッセージという。端末は、測定設定情報に基づいて測定を実行する（Ｓ８２０）。端末は、測定結果が測定設定情報内の報告条件を満たすと、測定結果を基地局に報告する（Ｓ８３０）。測定結果を含むメッセージを測定報告メッセージという。
【０１３３】
測定設定情報は、下記のような情報を含むことができる。
【０１３４】
（１）測定対象（Ｍｅａｓｕｒｅｍｅｎｔ  ｏｂｊｅｃｔ）情報：端末が測定を実行する対象に対する情報である。測定対象は、セル内測定の対象であるイントラ周波数測定対象、セル間測定の対象であるインター周波数測定対象、及びインターＲＡＴ測定の対象であるインターＲＡＴ測定対象のうち、少なくともいずれか一つを含む。例えば、イントラ周波数測定対象は、サービングセルと同じ周波数バンドを有する隣接セルを指示し、インター周波数測定対象は、サービングセルと異なる周波数バンドを有する隣接セルを指示し、インターＲＡＴ測定対象は、サービングセルのＲＡＴと異なるＲＡＴの隣接セルを指示することができる。
【０１３５】
（２）報告設定（Ｒｅｐｏｒｔｉｎｇ  ｃｏｎｆｉｇｕｒａｔｉｏｎ）情報：端末が測定結果を送信することをいつ報告するかに対する報告条件及び報告タイプ（ｔｙｐｅ）に対する情報である。報告設定情報は、報告設定のリストで構成されることができる。各報告設定は、報告基準（ｒｅｐｏｒｔｉｎｇ  ｃｒｉｔｅｒｉｏｎ）及び報告フォーマット（ｒｅｐｏｒｔｉｎｇ  ｆｏｒｍａｔ）を含むことができる。報告基準は、端末が測定結果を送信することをトリガする基準である。報告基準は、測定報告の周期または測定報告のための単一イベントである。報告フォーマットは、端末が測定結果をどのようなタイプに構成するかに対する情報である。
【０１３６】
（３）測定識別子（Ｍｅａｓｕｒｅｍｅｎｔ  ｉｄｅｎｔｉｔｙ）情報：測定対象と報告設定を連関させ、端末がどの測定対象に対し、いつ、どのようなタイプに報告するかを決定するようにする測定識別子に対する情報である。測定識別子情報は、測定報告メッセージに含まれ、測定結果がどの測定対象に対するものであり、測定報告がどのような報告条件に発生したかを示すことができる。
【０１３７】
（４）量的設定（Ｑｕａｎｔｉｔｙ  ｃｏｎｆｉｇｕｒａｔｉｏｎ）情報：測定単位、報告単位及び／または測定結果値のフィルタリングを設定するためのパラメータに対する情報である。
【０１３８】
（５）測定ギャップ（Ｍｅａｓｕｒｅｍｅｎｔ  ｇａｐ）情報：ダウンリンク送信またはアップリンク送信がスケジューリングされなくて、端末がサービングセルとのデータ送信に対する考慮なしに測定にのみ使われることができる区間である測定ギャップに対する情報である。
【０１３９】
端末は、測定手順を実行するために、測定対象リスト、測定報告設定リスト及び測定識別子リストを有している。
【０１４０】
３ＧＰＰ  ＬＴＥにおいて、基地局は、端末に一つの周波数バンドに対して一つの測定対象のみを設定することができる。３ＧＰＰ  ＴＳ  ３６．３３１  Ｖ８．５．０（２００９−０３）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  ８）”の５．５．４節によると、以下の表のような測定報告が誘発されるイベントが定義されている。
【０１４１】
【表１】
0006322302.tif 000003
【０１４２】
端末の測定結果が設定されたイベントを満たすと、端末は、測定報告メッセージを基地局に送信する。
【０１４３】
図９は、端末に設定された測定設定の一例を示す。
【０１４４】
まず、測定識別子１（９０１）は、イントラ周波数測定対象と報告設定１を連結している。端末は、セル内測定（ｉｎｔｒａ  ｆｒｅｑｕｅｎｃｙ  ｍａｓｕｒｅｍｅｎｔ）を実行し、報告設定１は、測定結果報告の基準及び報告タイプの決定に使われる。
【０１４５】
測定識別子２（９０２）は、測定識別子１（９０１）と同様に、イントラ周波数測定対象と連結されているが、イントラ周波数測定対象を報告設定２に連結している。端末は、測定を実行し、報告設定２は、測定結果報告の基準及び報告タイプの決定に使われる。
【０１４６】
測定識別子１（９０１）と測定識別子２（９０２）により、端末は、イントラ周波数測定対象に対する測定結果が報告設定１及び報告設定２のうちいずれか一つを満たしても、測定結果を送信する。
【０１４７】
測定識別子３（９０３）は、インター周波数測定対象１と報告設定３を連結している。端末は、インター周波数測定対象１に対する測定結果が報告設定３に含まれている報告条件を満たすと、測定結果を報告する。
【０１４８】
測定識別子４（９０４）は、インター周波数測定対象２と報告設定２を連結している。端末は、インター周波数測定対象２に対する測定結果が報告設定２に含まれている報告条件を満たすと、測定結果を報告する。
【０１４９】
一方、測定対象、報告設定及び／または測定識別子は、追加、変更及び／または削除が可能である。これは基地局が端末に新しい測定設定メッセージを送り、または測定設定変更メッセージを送ることによって指示することができる。
【０１５０】
図１０は、測定識別子を削除する例を示す。測定識別子２（９０２）が削除されると、測定識別子２（９０２）と連関された測定対象に対する測定が中断され、測定報告も送信されない。削除された測定識別子と連関された測定対象や報告設定は、変更されない。
【０１５１】
図１１は、測定対象を削除する例を示す。インター周波数測定対象１が削除されると、端末は、連関された測定識別子３（９０３）も削除する。インター周波数測定対象１に対する測定が中断され、測定報告も送信されない。しかし、削除されたインター周波数測定対象１に連関された報告設定は、変更または削除されない。
【０１５２】
報告設定が除去されると、端末は、連関された測定識別子も除去する。端末は、連関された測定識別子により連関された測定対象に対する測定を中断する。しかし、削除された報告設定に連関された測定対象は、変更または削除されない。
【０１５３】
測定報告は、測定識別子、サービングセルの測定された品質及び隣接セル（ｎｅｉｇｈｂｏｒｉｎｇ  ｃｅｌｌ）の測定結果を含むことができる。測定識別子は、測定報告がトリガされた測定対象を識別する。隣接セルの測定結果は、隣接セルのセル識別子及び測定された品質を含むことができる。測定された品質は、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）のうち少なくとも一つを含むことができる。
【０１５４】
次に、ＴＣＥ（Ｔａｃｋｉｎｇ  Ｃｏｌｌｅｃｔｉｏｎ  Ｅｎｔｉｔｙ）に対して説明する。
【０１５５】
加入者及び機器追跡（ｓｕｂｓｃｒｉｂｅｒ  ａｎｄ  ｅｑｕｉｐｍｅｎｔ  ｔｒａｃｅ）は、一つまたはそれ以上の特定モバイルに対して通話レベル（ｃａｌｌ  ｌｅｖｅｌ）上非常に詳細な情報を提供する。このデータは、性能測定のための情報のための追加的なソースになることができ、また、より深化したモニタリング及び最適化運営が許容されるようにする。常時情報のソースになる性能測定とは違って、追跡（ｔｒａｃｅ）は、特定な分析目的のための制限された時間区間中、ユーザの要求／必要によって活性化されることができる。追跡は、誤作動するモバイルの根本的な原因決定、改善された故障修理、リソース使用及び品質の最適化、ＲＦ（Ｒａｄｉｏ  Ｆｒｅｑｕｅｎｃｙ）カバレッジ制御、キャパシティ向上（ｃａｐａｃｉｔｙ  ｉｍｐｒｏｖｅｍｅｎｔ）、通話中の途切れ現象に対する分析、コアネットワーク（Ｃｏｒｅ  Ｎｅｔｗｏｒｋ）及びＵＴＲＡＮの両端間のＵＭＴＳ手順確認のような動作において非常に重要な役割を占める。
【０１５６】
特定ユーザ（例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ））またはモバイルタイプ（例えば、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）またはＩＭＥＩＳＶ（ＩＭＥＩ  ａｎｄ  Ｓｏｆｔｗａｒｅ  Ｖｅｒｓｉｏｎ））またはユーザにより開始されたサービスのために、通話レベルでのインターフェース上データをロギングする機能は、通話中の最終ユーザＱｏＳの認識（例えば、要求されたＱｏＳ  ｖｓ．  提供されたＱｏＳ）、プロトコルメッセージ及びＲＦ測定間の相関、または特定モバイルベンダとの情報処理相互運用のように、性能測定からは推論されることができない情報を取得可能にする。追跡データは、ＴＣＥで収集される。
【０１５７】
以下、ＭＤＴ（Ｍｉｎｉｍｉｚａｔｉｏｎ  ｏｆ  Ｄｒｉｖｉｎｇ  Ｔｅｓｔｓ）に対して説明する。
【０１５８】
ＭＤＴは、セルカバレッジの最適化（ｃｏｖｅｒａｇｅ  ｏｐｔｉｍｉｚａｔｉｏｎ）のために、従来の事業者が自動車を使用してセルの品質を測定するドライブテスト（ｄｒｉｖｅ  ｔｅｓｔ）をする代わりに、端末に測定を実行し、その結果を報告するようにすることである。カバレッジは、基地局の位置、周辺建物の配置、及びユーザの利用環境によって変わる。したがって、事業者は、周期的にドライブテストをしなければならず、これは多くの費用とリソースが所要される。このような短所を克服するために、事業者が端末を利用してカバレッジを測定するＭＤＴが提案される。
【０１５９】
事業者は、複数の端末から受信したＭＤＴ測定値を総合することで、事業者がサービスを提供する全般の領域にわたってサービス可能可否及びサービスの品質度の分布を示すカバレッジマップ（ｃｏｖｅｒａｇｅ  ｍａｐ）を作成してネットワーク運用及び最適化に活用することができる。例えば、端末から特定地域のカバレッジ問題に対して報告を受けると、事業者は、該当領域のサービスを提供する基地局の送信電力を増加することで、該当地域セルのカバレッジを拡張することができる。このような方法を介してネットワークを最適化する時間と費用を最小化することができる。
【０１６０】
ＭＤＴは、ＯＡＭ（ｏｐｅｒａｔｉｏｎ、ａｄｍｉｎｉｓｔｒａｔｉｏｎ、ａｎｄ  ｍａｉｎｔｅｎａｎｃｅ）のための運営者のツールのうち一つである追跡機能のフレームワーク（ｆｒａｍｅｗｏｒｋ）に基づく。追跡機能は、追跡して端末の行動をロギング（ｌｏｇｇｉｎｇ）することができる能力を運営者に提供するため、端末側機能不良の主な原因を決定することを可能にする。追跡されたデータ（ｔｒａｃｅｄ  ｄａｔａ）は、ネットワーク上に収集され、これをＴＣＥ（ｔｒａｃｅ  ｃｏｌｌｅｃｔｉｏｎ  ｅｎｔｉｔｙ）という。運営者は、分析及び評価のためにＴＣＥに収集されたデータを使用する。ＭＤＴのために使われる追跡機能は、追跡機能基盤のシグナリング及び追跡機能基盤の管理を含む。追跡機能基盤のシグナリングは、特定端末のためのＭＤＴ作業を活性化するために使われ、それに対し、追跡機能基盤の管理は、特定端末に限定されることなくＭＤＴ作業を活性化するために使われる。
【０１６１】
ＭＤＴは、端末が測定及び格納したログデータを非実時間に報告するか、または実時間に報告するかによって、ログされたＭＤＴ（ｌｏｇｇｅｄ  ＭＤＴ）と即時ＭＤＴ（ｉｍｍｅｄｉａｔｅ  ＭＤＴ）の二つの種類に分けられる。ログされたＭＤＴは、端末がＭＤＴ測定を進行し、そのデータをロギングした後にネットワークに送信する方法である。それに対し、即時ＭＤＴは、ＭＤＴ測定をした後、そのデータをネットワークに送信する方法である。ログされたＭＤＴによると、端末は、ＲＲＣアイドル状態でＭＤＴ測定を実行するが、即時ＭＤＴによると、端末は、ＲＲＣ接続状態でＭＤＴ測定を実行する。
【０１６２】
図１２は、ログされたＭＤＴを実行する方法を示す流れ図である。
【０１６３】
図１２を参照すると、端末は、ログされた測定設定（ｌｏｇｇｅｄ  ｍｅａｓｕｒｅｍｅｎｔｓ  ｃｏｎｆｉｇｕｒａｔｉｏｎ）を受信する（Ｓ１２１０）。ログされた測定設定は、ＲＲＣメッセージに含まれてダウンリンク制御チャネルとして送信されることができる。ログされた測定設定は、ＴＣＥ  ＩＤ、ロギングの実行に基準となる時間（ｒｅｆｅｒｅｎｃｅ  ｔｉｍｅ）情報、ロギング持続時間（ｌｏｇｇｉｎｇ  ｄｕｒａｔｉｏｎ）、ロギングインターバル（ｌｏｇｇｉｎｇ  ｉｎｔｅｒｖａｌ）、領域設定（ａｒｅａ  ｃｏｎｆｉｇｕｒａｔｉｏｎ）に対する情報のうち少なくとも一つを含むことができる。ロギングインターバルは、測定結果を格納するインターバル（ｉｎｔｅｒｖａｌ）を示す。ロギング持続時間は、端末がログされたＭＤＴを実行する持続時間を指示する。基準時間は、ログされたＭＤＴを実行する持続時間の基準となる時間を指示する。領域設定は、端末がロギングを実行するように要求された領域を指示する。
【０１６４】
一方、端末は、ログされた測定設定を受信すると、有効性タイマ（ｖａｌｉｄｉｔｙ  ｔｉｍｅｒ）を開始する。有効性タイマは、ログされた測定設定の寿命（ｌｉｆｅｔｉｍｅ）を意味し、これはロギング持続時間に対する情報により特定されることができる。有効性タイマの持続時間は、ログされた測定設定の有効寿命だけでなく、端末が有している測定結果の有効性を指示することもできる。
【０１６５】
以上のように、端末がログされた測定設定をし、それによる全ての手順が実行される手順を設定局面（ｃｏｎｆｉｇｕｒａｔｉｏｎ  ｐｈａｓｅ）という。
【０１６６】
端末がＲＲＣアイドル状態に進入すると（Ｓ１２２１）、端末は、有効性タイマが駆動される中、測定結果をロギングする（Ｓ１２２２）。測定結果値は、ＲＳＲＰ、ＲＳＲＱ、ＲＳＣＰ（ｒｅｃｅｉｖｅｄ  ｓｉｇｎａｌ  ｃｏｄｅ  ｐｏｗｅｒ）、Ｅｃ／Ｎｏなどがある。以下、測定結果をロギングした情報をログされた測定（ｌｏｇｇｅｄ  ｍｅａｓｕｒｅｍｅｎｔｓ）及び／または測定結果ログという。端末が少なくとも一回以上測定結果をロギングする時間的な区間をロギング局面（ｌｏｇｇｉｎｇ  ｐｈａｓｅ）という。
【０１６７】
端末がログされた測定設定に基づいてログされたＭＤＴを実行することは、端末が存在する位置によって変わることができる。
【０１６８】
図１３は、ロギング地域によるログされたＭＤＴの例示を示す。
【０１６９】
ネットワークは、端末がロギングしなければならない地域であるロギング地域を設定することができる。ロギング地域は、セルリストで表現され、またはトラッキング領域（ｔｒａｃｋｉｎｇ  ａｒｅａ）／ロケーション領域（ｌｏｃａｔｉｏｎ  ａｒｅａ）リストで表現されることができる。端末にロギング地域が設定された場合、端末は、ロギング地域から外れると、ロギングを中断する。
【０１７０】
図１３を参照すると、第１の領域１３１０及び第３の領域１３３０は、ロギング地域に設定された領域であり、第２の領域１３２０は、ロギングが許容されない領域である。端末は、第１の領域１３１０ではロギングをするが、第２の領域１３２０ではロギングをしない。端末は、第２の領域１３２０から第３の領域１３３０へ移動すると、再びロギングを実行する。
【０１７１】
図１４は、ＲＡＴ変更によるログされたＭＤＴの例示を示す。
【０１７２】
端末は、ログされた測定設定を受信したＲＡＴにキャンプオンしている（ｃａｍｐ  ｏｎ）時のみロギングを実行し、他のＲＡＴではロギングを中断する。ただし、端末は、キャンプオンしているＲＡＴ外に他のＲＡＴのセル情報をロギングすることができる。
【０１７３】
第１の領域１４１０及び第３の領域１４３０は、Ｅ−ＵＴＲＡＮ領域であり、第２の領域１４２０は、ＵＴＲＡＮ領域である。ログされた測定設定は、Ｅ−ＵＴＲＡＮから受信される。端末は、第２の領域１４２０に進入すると、ＭＤＴ測定を実行しない。
【０１７４】
また、図１２を参照すると、端末がＲＲＣ接続状態に進入し（Ｓ１２３１）、報告するログされた測定がある場合、端末は、報告するログされた測定があることを基地局に知らせる（Ｓ１２３２）。端末は、ＲＲＣ接続が確立される時、またはＲＲＣ接続が再確立（ｒｅ−ｅｓｔａｂｌｉｓｈ）される時、またはＲＲＣ接続が再設定（ｒｅｃｏｎｆｉｇｕｒａｔｉｏｎ）される時、ログされた測定があることを基地局に知らせることができる。また、端末がハンドオーバを実行する場合、ハンドオーバ対象セルにログされた測定があることを知らせることができる。端末がログされた測定があることを基地局に知らせることは、端末が基地局に送信するＲＲＣメッセージにログされた測定があることを知らせる指示情報であるログされた測定可用性（ｌｏｇｇｅｄ  ｍｅａｓｕｒｅｍｅｎｔｓ  ａｖａｉｌａｂｌｅ）指示子を含ませて送信することである。前記ＲＲＣメッセージは、ＲＲＣ接続設定完了メッセージ、ＲＲＣ接続再確立完了メッセージ、ＲＲＣ再設定完了メッセージまたはハンドオーバ完了メッセージである。
【０１７５】
基地局は、端末からログされた測定があることを知らせる信号を受信すると、端末にログされた測定を報告するように要求する（Ｓ１２３３）。ログされた測定を報告することを要求することは、これを指示する情報に対するログされた測定報告要求（ｌｏｇｇｅｄ  ｍｅａｓｕｒｅｍｅｎｔ  ｒｅｐｏｒｔ  ｒｅｑｕｅｓｔ）パラメータをＲＲＣメッセージに含ませて送信することである。前記ＲＲＣメッセージは、端末情報要求メッセージ（ＵＥ  ｉｎｆｏｒｍａｔｉｏｎ  ｒｅｑｕｅｓｔ  ｍｅｓｓａｇｅ）である。
【０１７６】
端末は、基地局からログされた測定の報告が要求されると、ログされた測定を基地局に報告する（Ｓ１２３４）。ログされた測定を基地局に報告することは、ログされた測定を含むログされた測定報告（ｌｏｇｇｅｄ  ｍｅａｓｕｒｅｍｅｎｔｓ  ｒｅｐｏｒｔ）をＲＲＣメッセージに含ませて基地局に送信することである。前記ＲＲＣメッセージは、端末情報報告メッセージ（ＵＥ  ｉｎｆｏｒｍａｔｉｏｎ  ｒｅｐｏｒｔ  ｍｅｓｓａｇｅ）である。端末は、ログされた測定を報告するにあたって、報告時点に端末が有するログされた測定全体を基地局に報告し、またはその一部を基地局に報告することができる。一部を報告する場合、報告された一部は、廃棄されることができる。
【０１７７】
前記のように、端末が基地局にログされた測定があることを知らせ、基地局から報告要求を受け、それによって、ログされた測定を報告する過程が実行される局面を報告局面（ｒｅｐｏｒｔｉｎｇ  ｐｈａｓｅ）という。
【０１７８】
ログされたＭＤＴが実行される中、端末が測定することは、主に無線環境に対することである。ＭＤＴ測定は、セル識別子、セルの信号品質及び／または信号強度を含むことができる。ＭＤＴ測定は、測定時間と測定場所を含むことができる。以下の表２は、端末がロギングする内容を例示する。
【０１７９】
【表２】
0006322302.tif 000004
【０１８０】
互いに異なるロギング時点にロギングした情報は、下記のように互いに異なるログエントリ（ｌｏｇ  ｅｎｔｒｙ）に区分されるように格納されることができる。
【０１８１】
図１５は、ログされた測定の一例を示す。
【０１８２】
ログされた測定は、一つまたはそれ以上のログエントリを含む。
【０１８３】
ログエントリは、ロギング位置（ｌｏｇｇｉｎｇ  ｌｏｃａｔｉｏｎ）、ロギング時間（ｌｏｇｇｉｎｇ  ｔｉｍｅ）、サービングセル識別子、サービングセル測定結果及び隣接セル測定結果を含む。
【０１８４】
ロギング位置は、端末が測定した位置を示す。ロギング時間は、端末が測定した時間を示す。互いに異なるロギング時間にロギングした情報は、互いに異なるログエントリに格納される。
【０１８５】
サービングセル識別子は、階層３でのセル識別子（これをＧＣＩ（Ｇｌｏｂａｌ  Ｃｅｌｌ  Ｉｄｅｎｔｉｔｙ）という）が含まれることができる。ＧＣＩは、ＰＣＩ（Ｐｈｙｓｉｃａｌ  Ｃｅｌｌ  Ｉｄｅｎｔｉｔｙ）とＰＬＭＮ識別子の集合である。
【０１８６】
一方、端末は、無線環境外に端末の性能（ｐｅｒｆｏｒｍａｎｃｅ）関連指標を分析してロギングすることができる。例えば、処理率（ｔｈｒｏｕｇｈｐｕｔ、誤った送信／受信率（ｅｒｒｏｎｅｏｕｓ  ｔｒａｎｓｍｉｓｓｉｏｎ／ｒｅｃｅｐｔｉｏｎ  ｒａｔｅ）等が含まれることができる。
【０１８７】
また、図１２を参照すると、前述したロギング局面及び報告局面は、ロギング持続時間中に複数回にかけて存在できる（Ｓ１２４１、Ｓ１２４２）。
【０１８８】
基地局は、ログされた測定の報告を受けると、これをＴＣＥに記録／格納することができる
【０１８９】
有効性タイマが満了された以後、即ち、ロギング持続時間が経過された以後、端末がまだ報告しないログされた測定を有している場合、端末は、これを基地局に報告するための手順を実行する。そのための全ての手順が実行される局面をポスト報告局面（ｐｏｓｔ−ｒｅｐｏｒｔｉｎｇ  ｐｈａｓｅ）という。
【０１９０】
端末は、ロギング持続時間終了後、ログされた測定設定を廃棄（ｄｉｓｃａｒｄ）し、保存タイマ（ｃｏｎｓｅｒｖａｔｉｏｎ  ｔｉｍｅｒ）を開始する。ロギング持続時間終了後、端末は、ＭＤＴ測定を中断する。しかし、既にログされている測定は、廃棄されずに維持される。保存タイマは、残っているログされた測定の寿命を示す。
【０１９１】
保存タイマ満了前に端末がＲＲＣ接続状態に進入すると（Ｓ１２５１）、まだ報告しないログされた測定を基地局に報告することができる。この場合、前述したログされた測定報告のための手順が実行されることができる（Ｓ１２５２、Ｓ１２５３、Ｓ１２５４）。保存タイマが満了されると、残っているログされた測定は、廃棄されることができる。基地局は、ログされた測定の報告を受けると、これをＴＣＥに記録／格納することができる
【０１９２】
前記保存タイマは、端末に特定値（ｐｒｅｄｅｔｅｒｍｉｎｅｄ  ｖａｌｕｅ）に固定されて事前に設定されることができる。例えば、保存タイマの値は、４８時間である。または、保存タイマの値は、ログされた測定設定に含まれて端末に伝達され、または他のＲＲＣメッセージに含まれて端末に伝達されることができる。
【０１９３】
一方、端末に新しいログされた測定設定が伝達されると、端末は、既存のログされた測定設定を新しく取得したログされた測定設定に更新することができる。この場合、有効性タイマは、ログされた測定設定を新しく受信した時点から再開始することができる。また、以前ログされた測定設定に基づくログされた測定は、廃棄されることができる。
【０１９４】
図１６は、即時ＭＤＴの例示を示す。即時ＭＤＴは、ＲＲＭ（ｒａｄｉｏ  ｒｅｓｏｕｒｃｅ  ｍａｎａｇｅｍｅｎｔ）測定及び報告メカニズムを基本とし、追加的に測定報告時に位置と関連した情報を追加して基地局に報告する。
【０１９５】
図１６を参照すると、端末は、ＲＲＣ接続再設定メッセージを受信し（Ｓ１６１０）、ＲＲＣ接続再設定完了メッセージを送信する（Ｓ１６２０）。それによって、端末は、ＲＲＣ接続状態に進入する。端末は、ＲＲＣ接続再設定メッセージを受信することによって測定設定を受信することができる。図１６の例示において、測定設定は、ＲＲＣ接続再設定メッセージを介して受信するが、これは例示に過ぎず、他のＲＲＣメッセージに含まれて送信されることもできる。
【０１９６】
端末は、ＲＲＣ接続状態で測定及び評価（ｍｅａｓｕｒｅｍｅｎｔ  ａｎｄ  ｅｖａｌｕａｔｉｏｎ）を実行し（Ｓ１６３１）、測定結果を基地局に報告する（Ｓ１６３２）。即時ＭＤＴにおいて、測定結果は、可能な場合、ＧＮＳＳ（ｇｌｏｂａｌ  ｎａｖｉｇａｔｉｏｎ  ｓａｔｅｌｌｉｔｅ  ｓｙｓｔｅｍ）位置情報の例示のように正確な位置情報を提供することができる。ＲＦフィンガプリント（ｆｉｎｇｅｒ  ｐｒｉｎｔ）のような位置測定のために、端末の位置決定に使われることができる隣接セル測定情報を提供することもできる。
【０１９７】
図１６において、まず、実行された測定及び評価（Ｓ１６３１）、報告（Ｓ１６３２）以後にも、端末は、測定及び評価（Ｓ１６４２）を実行した後、即時、基地局に測定結果を報告（Ｓ１６４３）することを知ることができる。これはログされたＭＤＴと即時ＭＤＴの最も大きい相違点である。
【０１９８】
次に、ＲＬＦの報告と関連して説明する。
【０１９９】
端末は、ネットワークのＭＲＯ（Ｍｏｂｉｌｉｔｙ  Ｒｏｂｕｓｔｎｅｓｓ  Ｏｐｔｉｍｉｚａｔｉｏｎ）をサポートするためにＲＬＦが発生し、またはハンドオーバ失敗（ｈａｎｄｏｖｅｒ  ｆａｉｌｕｒｅ）が発生すると、このような失敗イベントをネットワークに報告する。
【０２００】
ＲＲＣ接続再確立後、端末は、ＲＬＦ報告をｅＮＢに提供することができる。ＲＬＦ報告に含まれている無線測定は、カバレッジ問題を識別するために失敗の潜在的理由として使われることができる。この情報は、イントラ−ＬＴＥ移動性連結失敗に対するＭＲＯ評価でこのようなイベントを排除させ、そのイベントを他のアルゴリズムに対する入力に向けるために使われることができる。
【０２０１】
ＲＲＣ接続再確立が失敗し、または端末がＲＲＣ接続再確立を実行することができない場合、端末は、アイドルモードで再連結した後、ｅＮＢに対する有効なＲＬＦ報告を生成することができる。このような目的のために、端末は、最新ＲＬＦまたはハンドオーバ失敗関連情報を格納し、ネットワークによりＲＬＦ報告が受信されるまで、または前記ＲＬＦまたはハンドオーバ失敗が検知された後４８時間中、以後ＲＲＣ接続（再）確立及びハンドオーバ毎にＲＬＦ報告が有効であることをＬＴＥセルに指示することができる。
【０２０２】
端末は、状態移動及びＲＡＴ変更中、前記情報を維持し、前記ＬＴＥ  ＲＡＴに戻った後、再びＲＬＦ報告が有効であることを指示する。
【０２０３】
ＲＲＣ接続設定手順において、ＲＬＦ報告の有効とは、端末が連結失敗のような妨害を受け、この失敗によるＲＬＦ報告がまだネットワークに伝達されていないことを指示する。端末からのＲＬＦ報告は、以下の情報を含む。
【０２０４】
−端末にサービスを提供した最後のセル（ＲＬＦの場合）またはハンドオーバのターゲットのＥ−ＣＧＩ。Ｅ−ＣＧＩが知らされていない場合、その代わりにＰＣＩ及び周波数情報が使われる。
【０２０５】
−再確立試みがあったセルのＥ−ＣＧＩ
【０２０６】
−最後のハンドオーバ初期化時、一例として、メッセージ７（ＲＲＣ接続再設定）が端末により受信された時、端末にサービスを提供したセルのＥ−ＣＧＩ
【０２０７】
−最後のハンドオーバ初期化から連結失敗まで経過した時間
【０２０８】
−連結失敗がＲＬＦによることか、またはハンドオーバ失敗によることかを指示する情報
【０２０９】
−無線測定
【０２１０】
−失敗の位置
【０２１１】
端末からＲＬＦ失敗を受信したｅＮＢは、報告された連結失敗以前に端末にサービスを提供したｅＮＢに前記報告をフォワーディングすることができる。ＲＬＦ報告に含まれている無線測定は、無線リンク失敗の潜在的な原因としてのカバレッジ問題を識別するために使われることができる。この情報は、イントラ−ＬＴＥ移動性連結失敗に対するＭＲＯ評価でこのようなイベントを排除させ、これらを他のアルゴリズムに対する入力に向けるために使われることができる。ＲＬＦ報告は、ＭＤＴの一部として考慮されることができる。
【０２１２】
次に、接続可能可否測定（ａｃｃｅｓｓｉｂｉｌｉｔｙ  ｍｅａｓｕｒｅｍｅｎｔ）に対して説明する。
【０２１３】
端末のための連結の非有効性（ｎｏｎ−ａｖａｉｌａｂｉｌｉｔｙ）測定方法は、多様であり、これは共用チャネル（ｃｏｍｍｏｎ  ｃｈａｎｎｅｌｓ）及び連結手順に対して扱う。ネットワークに連結の非有効性を知らせ、それによって、連結の有効性を増加させるためのパラメータを最適化するために、端末は、接続確立失敗時、接続可能可否測定を実行する。接続可能可否測定のために、端末は、以下のようなロギングを実行する。
【０２１４】
−失敗と報告との間の時間をカウンティングする状態的タイマ（ｒｅｌａｔｉｖｅ  ｔｉｍｅｒ）を使用することによって誘導されたタイムスタンプが含まれる。接続可能可否測定のための格納時間は、４８時間である。
【０２１５】
−送信されたランダムアクセスプリアンブルの個数を報告することがサポートされる。
【０２１６】
−最大パワレベルに到達したかどうかを指示することが含まれる。
【０２１７】
−接続確立のためのランダムアクセス手順中にコンテンション（ｃｏｎｔｅｎｔｉｏｎ）が検知されたかどうかを指示することが含まれる。
【０２１８】
接続可能可否測定は、ＭＤＴの一部として考慮されることができる。
【０２１９】
以下、ＩＤＣ（ｉｎ−ｄｅｖｉｃｅ  ｃｏｅｘｉｓｔｅｎｃｅ）に対して説明する。
【０２２０】
ユーザが多様なネットワークにいつでもどこでも接続するためには、一つの端末にＬＴＥ、ＷｉＦｉ、ブルートゥース（Ｂｌｕｅｔｏｏｔｈ（登録商標）；ＢＴ）等の無線通信システムのための送受信機をはじめとして、ＧＮＳＳ（ｇｌｏｂａｌ  ｎａｖｉｇａｔｉｏｎ  ｓａｔｅｌｌｉｔｅ  ｓｙｓｔｅｍ）受信機を具備することができる。例えば、ＢＴ装備を利用してＶｏＩＰサービス、マルチメディアサービスを受けるためにＬＴＥとＢＴモジュールを装着した端末、トラフィック分散のためにＬＴＥとＷｉＦｉモジュールを装着した端末、位置情報を追加的に取得するためにＧＮＳＳとＬＴＥモジュールを装着した端末などがある。
【０２２１】
前記の場合、一つの端末機内で複数の送受信機が近接していることにより、一つの送信機で送信されるパワの強度が他の受信機の受信パワより大きい場合が発生できる。フィルタ技術や使用周波数に間隔をおくことによって、二つの送受信機間の干渉（ＩＤＣ  ｉｎｔｅｒｆｅｒｅｎｃｅ）が発生することを防止することができる。しかし、複数の無線通信モジュールが一つの端末内で隣接周波数で動作する場合、現在のフィルタ技術としては十分な干渉除去をすることができない。今後、端末内の複数個の無線通信モジュールのための送受信機の共存のためには前記問題を解決する必要がある。
【０２２２】
図１７は、ＬＴＥ、ＧＰＳ、ＢＴ／ＷｉＦｉが一つの端末内で共存するＩＤＣ環境で相互間に干渉が発生できる状況を示す。
【０２２３】
ＬＴＥモジュールと共存している他の通信モジュールとの協力（ｃｏｏｒｄｉｎａｔｉｏｎ）があるかどうか、ＩＤＣ干渉解決のためにＬＴＥモジュールと基地局との協力があるかどうかによって、ＩＤＣ干渉回避（ａｖｏｉｄａｎｃｅ）は、大いに、三つのモードに分けられる。第一のモードは、共存通信モジュール間、そして、ＬＴＥとネットワークとの間にＩＤＣ干渉回避のために何らの協力がないモードである。この場合、ＬＴＥモジュールは、共存している他の通信モジュールに対する情報を知らないため、ＩＤＣ干渉によるサービス品質の低下を正確に処理することができない場合がある。第二のモードは、端末の内部で共存通信モジュール間の協力がある場合である。このモードでは共存するモジュール同士は相手方モジュールのｏｎ／ｏｆｆ状態、トラフィック送信状態などを知ることができる。しかし、端末とネットワークとの間には何らの協力がないモードである。第三のモードは、端末の内部で共存モジュール間の協力だけでなく、端末とネットワークとの間にも協力が存在するモードである。このモードでは共存するモジュールが相手方モジュールのｏｎ／ｏｆｆ状態、トラフィック送信状態などを知ることができるだけでなく、端末がネットワークにＩＤＣ干渉状態を知らせることによって、ネットワークがＩＤＣ干渉を避けるための決定をおろして措置する。
【０２２４】
ＬＴＥモジュールは、前記のように端末の内部で他のモジュールとの協力だけでなく、インター／イントラ周波数測定を介してＩＤＣ干渉を測定することができる。
【０２２５】
干渉は、互いに異なる通信モジュールが一つの端末内で共存して動作することによって発生するＩＤＣ干渉であり、ＩＤＣ干渉は、下記のような共存状況で発生できる。
【０２２６】
干渉は、ＬＴＥとＷｉＦｉが共存する状況で発生する。
【０２２７】
干渉は、ＬＴＥとＢＴが共存する状況で発生する。
【０２２８】
干渉は、ＬＴＥとＧＮＳＳが共存する状況で発生する。
【０２２９】
通信モジュールは、周波数側面で下記のように隣接周波数で動作することによって相互干渉を与えることができる。
【０２３０】
ＬＴＥ  ＴＤＤがＢａｎｄ４０（２３００ＭＨｚ〜２４００ＭＨｚ）で動作し、ＷｉＦｉ、ＢＴが無免許帯域（ｕｎｌｉｃｅｎｓｅｄ  ｂａｎｄ）（２４００ＭＨｚ〜２４８３．５ＭＨｚ）で動作できる。この場合、ＬＴＥの送信がＷｉＦｉ、ＢＴに干渉を与えることができ、ＷｉＦｉまたはＢＴの送信がＬＴＥの受信に干渉を与えることができる。
【０２３１】
ＬＴＥ  ＦＤＤがＢａｎｄ７（２５００ＭＨｚ〜２７００ＭＨｚ）でアップリンク送信をし、ＷｉＦｉ、Ｂｌｕｅｔｏｏｔｈ（登録商標）はｕｎｌｉｃｅｎｓｅｄ  ｂａｎｄ（２４００ＭＨｚ〜２４８３．５ＭＨｚ）で動作できる。この場合、ＬＴＥのアップリンク送信がＷｉＦｉまたはＢｌｕｅｔｏｏｔｈ（登録商標）の受信に干渉を与えることができる。
【０２３２】
ＬＴＥ  ＦＤＤがＢａｎｄ１３（ＵＬ：７７７−７８７ＭＨｚ、ＤＬ：７４６−７５６ＭＨｚ）またはＢａｎｄ１４（ＵＬ：７８８−７９８ＭＨｚ、ＤＬ：７５８−７６８ＭＨｚ）でアップリンク送信をし、ＧＰＳ  ｒａｄｉｏが１５７５．４２ＭＨｚで受信することができる。この場合、ＬＴＥのアップリンク送信のＧＰＳの受信に干渉を与えることができる。
【０２３３】
現在３ＧＰＰではＩＤＣ干渉を解決するために、大いに、二つの方向を考慮している。第一は、干渉を与える通信モジュールまたは干渉を受ける通信モジュールが周波数を変更する方法（Ｆｒｅｑｕｅｎｃｙ  Ｄｉｖｉｓｉｏｎ  Ｍｕｌｔｉｐｌｅｘｉｎｇ（ＦＤＭ））である。第二は、一つの周波数を共存する通信モジュールが時間を分割して使用する方法（Ｔｉｍｅ  Ｄｉｖｉｓｉｏｎ  Ｍｕｌｔｉｐｌｅｘｉｎｇ（ＴＤＭ））である。
【０２３４】
端末は、端末内のＬＴＥ装置と端末内の他のＩＳＭ帯域装置との間の内部干渉、即ち、ＩＤＣ干渉が検知されると、ＩＤＣ指示子をネットワークに送信することができる。ＩＤＣ指示子は、端末がＩＤＣ干渉を経験したことを指示することができる。ＩＤＣ指示子は、特定周波数及び／または時間区間パターンに対する情報を含むことができる。ここで、特定周波数情報は、ＩＤＣ干渉問題を解決するためにＦＤＭの実行に基盤になることができ、特定時間区間パターンに対する情報は、ＴＤＭの実行に基盤になることができる。特定周波数情報は、ＩＤＣ干渉が発生した周波数を指示することができ、特定時間区間パターン情報は、他のＩＳＭバンド装置の動作によりＩＤＣ干渉が発生する時間区間を指示することができる。
【０２３５】
ネットワークが端末に広帯域測定（ｗｉｄｅｂａｎｄ  ｍｅａｓｕｒｅｍｅｎｔ）に関連したパラメータを提供した場合、端末は、広帯域測定を実行することができる。一方、端末が取得した測定結果をネットワークに報告するにあたって、報告される測定結果がどのような測定に基づいて取得されたかを指示するシグナリングを共に提供しない。したがって、ネットワークは、測定結果が広帯域測定を介して取得されたか、または狭帯域測定（ｎａｒｒｏｗｂａｎｄ  ｍｅａｓｕｒｅｍｅｎｔ）を介して取得されたかを知ることができない場合が発生できる。
【０２３６】
例えば、広帯域測定が可能な端末がログされた測定の実行を介して複数のサービングセルを経て測定及びロギングを実行するにあたって、広帯域測定の可能なサービングセルではより正確な測定のために広帯域測定を実行し、広帯域測定の不可能なサービングセルでは狭帯域測定を実行することができる。しかし、端末が測定結果をロギングするとき、測定帯域幅に対する情報を共にロギングしないため、ネットワークは、ログエントリの測定結果が広帯域測定による結果か、または狭帯域測定による結果かを知ることができない。その結果、ネットワークは、報告を受けたログされた測定に対して不正確な解釈を介して非効率的なネットワーク最適化を実行するようになる。
【０２３７】
前記のように発生できる問題を防止し、より効率的で正確なネットワーク最適化及びサービス提供のために補完された測定報告方法が提案される必要がある。
【０２３８】
本発明では端末の測定結果をネットワークに報告するにあたって、測定結果と関連した測定帯域幅情報を共にネットワークに報告する方法を提案する。
【０２３９】
図１８は、本発明の実施例に係る測定報告方法を示す。
【０２４０】
図１８を参照すると、端末は、測定を実行して測定結果を取得する（Ｓ１８１０）。
【０２４１】
端末が測定を実行することは、ネットワークにより提供された測定設定によって測定を実行することである。
【０２４２】
端末が測定を実行することは、ネットワークにより提供されたログされた測定設定によってログされたＭＤＴのための測定を実行することである。それによって、端末は、ロギングインターバル毎に測定結果を取得することができる。
【０２４３】
各場合において、端末による測定は、セルに対するＲＳＲＱ測定またはセルのＲＳＲＰ測定である。
【０２４４】
取得された測定結果は、測定されたセルの品質を決定するために干渉信号を考慮する測定である。
【０２４５】
端末は、測定帯域幅情報を生成する（Ｓ１８２０）。端末により生成される測定帯域幅情報は、取得された測定結果と関連して生成されることができる。
【０２４６】
測定帯域幅情報は、関連した測定結果が広帯域測定を介して取得されたか、または狭帯域測定を介して取得されたかを指示することができる。ここで、広帯域かまたは狭帯域かは、測定帯域幅が特定臨界帯域幅を超過するかどうかによって決定される。測定帯域幅が特定臨界帯域幅を超過する場合、端末が実行する測定は広帯域測定であり、超過しない場合、狭帯域測定である。臨界帯域幅は、無線リソースの個数として特定されることができる。臨界帯域幅の一例として、６個のリソースブロックに該当する帯域幅が定義されることができる。臨界帯域幅に対する情報は、ネットワークから端末にシグナリングされ、または端末に予め設定されている。
【０２４７】
測定帯域幅情報が関連した測定結果と共に報告される自体で、広帯域測定を介して取得された測定結果であると解釈されるように設定されることができる。即ち、測定結果がネットワークに報告されるにあたって、測定帯域幅情報が報告されない場合、該当測定結果は、狭帯域測定により取得されたと解釈されることができる。それに対し、測定結果がネットワークに報告されるにあたって、測定帯域幅情報が共に報告される場合、該当測定結果は、広帯域測定により取得されたと解釈されることができる。
【０２４８】
測定帯域幅情報は、測定結果と関連した測定帯域幅値を指示することができる。この場合、測定帯域幅の値は、リソースブロックの個数として定義されることができる。測定結果は、測定帯域幅情報により指示された測定帯域幅値によって広帯域測定によるものであるか、または狭帯域測定によるものであるかが区別されることができる。
【０２４９】
測定帯域幅情報の適用範囲は、端末該当情報としてまたは周波数該当情報として定義されることができる。端末該当情報としての測定帯域幅情報は、同じＲＡＴの全ての周波数に対する共通帯域幅を指示するものである。周波数該当情報としての測定帯域幅情報は、各周波数に対する特定帯域幅を指示するものである。
【０２５０】
端末は、測定による報告メッセージをネットワークに送信する（Ｓ１８３０）。報告メッセージは、少なくとも一つの測定結果及びそれと関連した少なくとも一つの測定帯域幅情報を取得することができる。
【０２５１】
前述した測定報告方法は、ログされた測定、接続可能可否測定報告、ＲＬＦ／ＨＯＦ報告及び／またはＩＤＣ指示子送信の場合に適用されることができる。以下、各場合に対して説明する。
【０２５２】
図１９は、本発明の実施例がログされたＭＤＴに適用された第１の例示を示す。
【０２５３】
図１９の例示において、端末は、各ログエントリ毎に測定結果と共に関連した測定帯域幅情報をロギングするように設定されたと仮定する。
【０２５４】
図１９を参照すると、端末は、ネットワークからログされた測定設定を受信する（Ｓ１９１０）。ログされた測定設定は、端末のログされたＭＤＴ実行のための設定情報を含み、これは前述したように具現されることができる。端末は、ログされた測定設定を受信し、ＲＲＣアイドル状態に進入すると、最大ロギング持続時間中に測定及びロギングを実行することができる。
【０２５５】
端末は、測定を実行し、取得された測定結果をロギングする（Ｓ１９２０、Ｓ１９３０）。端末は、測定結果と共にそれと関連した測定帯域幅情報をロギングすることができる。端末は、各ログエントリに特定測定結果及びそれと関連した測定帯域幅情報を含ませることができる。
【０２５６】
端末が取得した測定結果は、サービングセル及び／または隣接セルに対する測定結果を含むことができる。
【０２５７】
測定帯域幅情報は、該当測定結果を取得するために実行した測定が広帯域測定かまたは狭帯域測定かを指示することができる。例えば、端末がＳ１９２０ステップで広帯域測定を実行し、Ｓ１９３０ステップで狭帯域測定を実行した場合、Ｓ１９２０ステップでロギングされたログエントリ内の測定帯域幅情報は広帯域測定を指示し、Ｓ１９３０ステップでロギングされたログエントリ内の測定帯域幅情報は狭帯域測定を指示することができる。
【０２５８】
または、測定帯域幅情報は、該当測定結果を取得するために実行した測定において測定帯域幅の値を指示することができる。例えば、端末がＳ１９２０ステップでロギングされたログエントリ内の測定帯域幅情報は、Ｓ１９２０ステップでロギングされた測定結果と関連した測定帯域幅値を指示する。また、端末がＳ１９３０ステップでロギングされたログエントリ内の測定帯域幅情報は、Ｓ１９３０ステップでロギングされた測定結果と関連した測定帯域幅値を指示する。
【０２５９】
端末は、ＲＲＣ接続状態に進入し、ログされた測定報告メッセージをネットワークに送信する（Ｓ１９４０）。ログされた測定報告メッセージには端末によりロギングされたログエントリが含まれることができる。ネットワークは、ログされた測定報告メッセージの受信を介して少なくとも一つ以上の測定結果及びそれと関連した測定帯域幅情報を取得することができる。ネットワークは、特定測定結果がどのような測定帯域幅に対して測定を介して取得したかを把握し、これをネットワーク運用に適用することができる。
【０２６０】
図１９において、各ログエントリには測定帯域幅情報が含まれることを例示した。ただし、測定帯域幅情報を含むかどうかが広帯域測定／狭帯域測定の可否を指示する場合、狭帯域測定の結果が含まれているログエントリには測定帯域幅情報が含まれない例示も考慮されることができる。例えば、Ｓ１９２０ステップで広帯域測定を介して測定結果を取得した場合、Ｓ１９２０ステップでロギングされたログエントリには測定帯域幅情報が含まれる。それに対し、Ｓ１９３０ステップで狭帯域測定を介して測定結果を取得した場合、Ｓ１９３０ステップでロギングされたログエントリには測定帯域幅情報が含まれない。
【０２６１】
図２０は、本発明の実施例がログされたＭＤＴに適用された第２の例示を示す。
【０２６２】
図２０の例示において、端末は、サービングセル変更されると、測定結果と共に測定帯域幅情報をロギングするように設定されたと仮定する。
【０２６３】
図２０を参照すると、端末は、ネットワークからログされた測定設定を受信する（Ｓ２０１０）。端末は、現在キャンプオン中のサービングセルであるセル１からログされた測定設定を受信することができる。ログされた測定設定は、端末のログされたＭＤＴ実行のための設定情報を含み、これは前述したように具現されることができる。
【０２６４】
端末は、ログされた測定設定を受信し、ＲＲＣアイドル状態に進入すると、最大ロギング持続時間中に測定及びロギングを実行することができる。
【０２６５】
セル１にキャンプオンしている端末は、測定結果を取得し、これをロギングする（Ｓ２０２１）。
【０２６６】
端末は、セル１をサービングセルにし、運営時に広帯域測定が許容されるかどうかを決定することができる。これは端末の能力値及びサービングセルであるセル１と関連した情報に基づいて該当セル内で広帯域測定の許容可否に基づいて決定されることができる。端末が広帯域測定を実行することができ、セル１が広帯域測定のための情報を提供する場合、端末は、広帯域測定が可能であると判断し、広帯域測定を実行することができる。そうでない場合、端末は、狭帯域測定を実行することができる。
【０２６７】
セル１は、最初測定に該当するため、端末は、取得された測定結果（Ａ）と関連した測定帯域幅情報（ａ）を共にロギングすることができる。
【０２６８】
測定帯域幅情報（ａ）は、測定結果（Ａ）を取得するために実行した測定が広帯域測定かまたは狭帯域測定かを指示することができる。または、測定帯域幅情報（ａ）は、測定結果（Ａ）を取得するために実行した測定において測定帯域幅の値を指示することができる。
【０２６９】
セル１に持続的にキャンプオンしている端末は、ロギングインターバルに合わせて測定結果を取得し、これをロギングする（Ｓ２０２２）。一方、Ｓ２０２２ステップにおいて、端末のサービングセルには変動がないため、端末は、該当時点で取得された測定結果（Ｂ）のみをロギングし、測定帯域幅情報はロギングしない。
【０２７０】
端末は、移動してセル２にキャンプオンすることができる（Ｓ２０３０）。それによって、端末は、セル２を新しいサービングセルにし、ＲＲＣアイドル状態運営を実行することができる。
【０２７１】
セル２にキャンプオンしている端末は、測定結果を取得し、これをロギングする（Ｓ２０４１）。
【０２７２】
端末は、セル２をサービングセルにし、運営時に広帯域測定が許容されるかどうかを決定することができる。これは端末の能力値及びサービングセルであるセル２と関連した情報に基づいて該当セル内で広帯域測定の許容可否に基づいて決定されることができる。端末が広帯域測定を実行することができ、セル２が広帯域測定のための情報を提供する場合、端末は、広帯域測定が可能であると判断し、広帯域測定を実行することができる。そうでない場合、端末は、狭帯域測定を実行することができる。
【０２７３】
Ｓ２０４１ステップ以前にサービングセルが変更されたため、端末は、測定結果（Ｍ）と関連した測定帯域幅情報（ｍ）を共にロギングすることができる。
【０２７４】
端末は、ＲＲＣ接続状態に進入し、ログされた測定報告メッセージをネットワークに送信する（Ｓ２０５０）。ログされた測定報告メッセージには端末によりロギングされたログエントリが含まれることができる。ネットワークは、特定ログエントリに測定帯域幅情報を介して該当測定結果と関連した測定帯域幅を知ることができる。ネットワークは、以後ロギングされたログエントリのうち測定帯域幅情報が含まれているログエントリ以前までロギングされたログエントリの測定結果は、前記測定帯域幅の測定を介して取得されたと判断することができる。
【０２７５】
即ち、端末は、一般的に一つのセル内で特定帯域幅に対する測定を実行することができる。この場合、端末は、サービングセルによって広帯域測定または狭帯域測定を実行することができる。したがって、端末のサービングセル変更によって測定帯域幅情報をロギングすることは、ネットワークに測定結果と関連した測定帯域幅情報を提供することができ、且つ追加されるシグナリングによるオーバーヘッドを最小化することができるという長所がある。
【０２７６】
図２１は、本発明の実施例がログされたＭＤＴに適用された第３の例示を示す。
【０２７７】
図２１の例示において、端末は、測定結果に対する測定帯域幅が変更されると、測定結果と共に測定帯域幅情報をロギングするように設定されたと仮定する。端末は、広帯域測定が可能であると仮定し、端末による広帯域測定の可否は、端末のサービングセルの広帯域測定許容可否により決定されると仮定する。
【０２７８】
図２１を参照すると、端末は、ネットワークからログされた測定設定を受信する（Ｓ２１１０）。端末は、現在キャンプオン中のサービングセルであるセル１からログされた測定設定を受信することができる。ログされた測定設定は、端末のログされたＭＤＴ実行のための設定情報を含み、これは前述したように具現されることができる。
【０２７９】
端末は、ログされた測定設定を受信し、ＲＲＣアイドル状態に進入すると、最大ロギング持続時間中に測定及びロギングを実行することができる。
【０２８０】
セル１にキャンプオンしている端末は、測定結果を取得してロギングする（Ｓ２１２１）。セル１は、広帯域測定を許容するセルであるため、端末は、広帯域測定を実行し、測定結果を取得することができる。
【０２８１】
Ｓ２１２１ステップにおいて、端末により実行される測定は、最初測定に該当するため、端末は、取得された測定結果と関連した測定帯域幅情報を共にロギングすることができる。測定帯域幅情報は、測定結果を取得するために実行された測定が広帯域測定であることを指示することができる。
【０２８２】
セル１に持続的にキャンプオンしている端末は、ロギングインターバルに合わせて測定結果を取得し、これをロギングする（Ｓ２１２２）。Ｓ２１２２ステップにおいて、端末により実行された測定は、広帯域測定であるため、測定帯域幅の変更が発生しない。したがって、端末は、測定結果をロギングし、それと関連した測定帯域幅情報をロギングしない。
【０２８３】
端末は、移動してセル２にキャンプオンすることができる（Ｓ２１３１）。それによって、端末は、セル２を新しいサービングセルにし、ＲＲＣアイドル状態運営を実行することができる。
【０２８４】
セル２にキャンプオンしている端末は、測定結果を取得し、これをロギングする（Ｓ２１３２）。セル２は、広帯域測定を許容しないセルであるため、端末は、狭帯域測定を実行し、測定結果を取得することができる。
【０２８５】
Ｓ２１３２ステップで取得された測定結果は、狭帯域測定を介して取得され、Ｓ２１２２ステップで取得された測定結果は、広帯域測定を介して取得されたため、端末は、測定帯域幅が変更されたと判断することができる。したがって、端末は、Ｓ２１３２ステップで取得された測定結果と関連した測定帯域幅情報を共にロギングすることができる。測定帯域幅情報は、測定結果を取得するために実行された測定が狭帯域測定であることを指示することができる。
【０２８６】
セル２に持続的にキャンプオンしている端末は、ロギングインターバルに合わせて測定結果を取得し、これをロギングする（Ｓ２１３３）。Ｓ２１３３ステップにおいて、端末により実行された測定は、狭帯域測定であるため、測定帯域幅の変更が発生しない。したがって、端末は、測定結果をロギングし、それと関連した測定帯域幅情報をロギングしない。
【０２８７】
端末は、移動してセル３にキャンプオンすることができる（Ｓ２１４１）。それによって、端末は、セル３を新しいサービングセルにし、ＲＲＣアイドル状態運営を実行することができる。
【０２８８】
セル３にキャンプオンしている端末は、測定結果を取得し、これをロギングする（Ｓ２１４２）。セル３は、広帯域測定を許容しないセルであるため、端末は、狭帯域測定を実行し、測定結果を取得することができる。
【０２８９】
端末のサービングセルが変動されたが、持続的に狭帯域測定を実行するため、端末は、測定帯域幅の変動がないと判断することができる。したがって、端末は、測定結果はロギングし、それと関連した測定帯域幅情報をロギングしない。
【０２９０】
端末は、ＲＲＣ接続状態に進入し、ログされた測定報告メッセージをネットワークに送信する（Ｓ２１５０）。ログされた測定報告メッセージには端末によりロギングされたログエントリが含まれることができる。ネットワークは、特定ログエントリに測定帯域幅情報を介して該当測定結果と関連した測定帯域幅を知ることができる。ネットワークは、以後ロギングされたログエントリのうち測定帯域幅情報が含まれているログエントリ以前までロギングされたログエントリの測定結果は、前記測定帯域幅の測定を介して取得されたと判断することができる。
【０２９１】
図１８の測定報告方法は、ＲＬＦ報告及びハンドオーバ失敗報告（無線リンク失敗の類型がハンドオーバ失敗である場合）にも適用されることができる。端末は、ＲＬＦ報告及びハンドオーバ失敗報告をネットワークに送信するにあたって、ＲＬＦ報告及びハンドオーバ失敗報告内に測定帯域幅情報を含ませることができる。測定帯域幅情報は、無線リンクモニタリングのための測定が広帯域測定によることかまたは狭帯域測定によることかを指示することができる。測定帯域幅情報は、ハンドオーバ実行以前の測定が広帯域測定によることかまたは狭帯域測定によることかを指示することができる。または、測定帯域幅情報は、測定の基盤になる測定帯域幅を指示することができる。
【０２９２】
図１８の測定報告方法は、ＩＤＣ指示にも適用されることができる。端末は、ＩＤＣ内に特定周波数が使用不可能かを評価するための測定が広帯域測定によることかまたは狭帯域測定によることかを指示することができる。または、測定帯域幅情報は、測定の基盤になる測定帯域幅を指示することができる。
【０２９３】
図１８の測定報告方法は、接続可能可否測定報告にも適用されることができる。ＲＲＣ接続確立の失敗発生時、端末がネットワークに接続可能可否測定報告を送信するにあたって、端末は、接続確立失敗報告内に測定帯域幅情報を含ませることができる。測定帯域幅情報は、接続確立実行以前の測定が広帯域測定によることかまたは狭帯域測定によることかを指示することができる。または、測定帯域幅情報は、測定の基盤になる測定帯域幅を指示することができる。
【０２９４】
前述した本発明の測定報告方法において、端末は、広帯域測定結果または狭帯域測定結果を測定報告メッセージに含ませて送信するが、本発明の範囲はこれに限定されるものではない。本発明の実施例に係る測定報告方法を実行するにあたって、広帯域測定及び狭帯域測定がモード可能な場合、端末は、広帯域測定結果及び狭帯域測定結果を両方とも取得、ロギング、及び報告を実行することもできる。
【０２９５】
本発明の実施例に係る測定報告方法によると、ネットワークは、端末から報告された測定結果が広帯域測定に基づいて取得されたか、または狭帯域測定に基づいて取得されたかを把握することができる。または、ネットワークは、報告を受けた測定結果と関連した測定帯域幅を把握することができる。それによって、ネットワークは、取得した測定結果の用途によって、より効果的にネットワーク最適化を実行し、またはより効率的なサービスを提供及び端末の効率的動作のための設定を端末に提供することができる。
【０２９６】
図２２は、本発明の実施例が具現される無線装置を示すブロック図である。この装置は、本発明の実施例に係るセル再選択方法を実行する端末またはネットワークシステムで具現されることができる。
【０２９７】
図２２を参照すると、無線装置２２００は、プロセッサ２２１０、メモリ２２２０及びＲＦ部（ｒａｄｉｏ  ｆｒｅｑｕｅｎｃｙ  ｕｎｉｔ）２２３０を含む。プロセッサ２２１０は、提案された機能、過程及び／または方法を具現する。プロセッサ２２１０は、測定結果及び測定帯域幅情報をネットワークに報告するように設定されることができる。プロセッサ２２１０は、図１８乃至図２１を参照して前述した本発明の実施例を実行するように設定されることができる。
【０２９８】
ＲＦ部２２３０は、プロセッサ２２１０と連結されて無線信号を送信及び受信する。
【０２９９】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段によりプロセッサと連結されることができる。
【０３００】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006322302.tif 000005
【図２】
0006322302.tif 000006
【図３】
0006322302.tif 000007
【図４】
0006322302.tif 000008
【図５】
0006322302.tif 000009
【図６】
0006322302.tif 000010
【図７】
0006322302.tif 000011
【図８】
0006322302.tif 000012
【図９】
0006322302.tif 000013
【図１０】
0006322302.tif 000014
【図１１】
0006322302.tif 000015
【図１２】
0006322302.tif 000016
【図１３】
0006322302.tif 000017
【図１４】
0006322302.tif 000018
【図１５】
0006322302.tif 000019
【図１６】
0006322302.tif 000020
【図１７】
0006322302.tif 000021
【図１８】
0006322302.tif 000022
【図１９】
0006322302.tif 000023
【図２０】
0006322302.tif 000024
【図２１】
0006322302.tif 000025
【図２２】
0006322302.tif 000026